(57)【特許請求の範囲】
【請求項１】
ワイヤレス通信のための方法であって、
基地局からユーザ機器（ＵＥ）によって、異なるランダムアクセス（ＲＡ）手順を実施するためのコンフィギュレーションパラメータを受信すること、および
前記ＲＡ手順の１つに従って１つまたは複数のＲＡメッセージを送信することによって前記基地局に前記ＵＥの属性について通知することであって、前記属性が、使用される前記ＲＡ手順によって示され、前記属性が、前記ＵＥによる干渉状態の検出を備えること
を備える方法。
【請求項２】
干渉状態が検出されない場合、第１のＲＡ手順が使用され、
干渉状態が検出された場合、第２のＲＡ手順が使用される、請求項１に記載の方法。
【請求項３】
基準信号受信電力（ＲＳＲＰ）測定値または基準信号受信品質（ＲＳＲＱ）測定値の少なくとも１つが閾値を超えた場合、前記干渉状態が存在すると判定することをさらに備える、請求項１に記載の方法。
【請求項４】
前記閾値を前記基地局から受信することをさらに備える、請求項３に記載の方法。
【請求項５】
前記閾値が、システム情報ブロック（ＳＩＢ）内で前記基地局からブロードキャストされる、請求項４に記載の方法。
【請求項６】
サービング基地局と１つまたは複数の非サービング基地局との間でリソースの協調パーティショニングを受けるサブフレームを示すリソースパーティショニング情報（ＲＰＩ）を決定すること、および
第２のＲＡ手順を実施するとき前記ＲＰＩを使用すること
をさらに備える、請求項１に記載の方法。
【請求項７】
前記第２のＲＡ手順を実施するとき前記ＲＰＩを使用することが、協調パーティショニングを受けるサブフレーム上でサービングノードＢにメッセージを送信することを備える、請求項６に記載の方法。
【請求項８】
前記第２のＲＡ手順を実施するとき前記ＲＰＩを使用することが、協調パーティショニングを受ける第２のサブフレーム内で少なくとも１つの第２の後続のメッセージが確実に送信されるように、協調パーティショニングを受けない第１のサブフレーム内で第１のメッセージを送信することを備える、請求項７に記載の方法。
【請求項９】
前記第２の後続のメッセージが前記サービングノードＢから送信される、請求項８に記載の方法。
【請求項１０】
第１のＲＡメッセージを前記基地局に送信すること、および
前記第１のＲＡメッセージに対して確認応答が受信されなかった場合でさえ、前記基地局から受信された第２のＲＡメッセージを復号しようと試みること
をさらに備える、請求項６に記載の方法。
【請求項１１】
前記第２のＲＡメッセージの復号に成功した場合、ＲＡ手順を続行すること、および
前記第２のＲＡメッセージの復号に成功しなかった場合、前記ＲＡ手順を再スタートすること
をさらに備える、請求項１０に記載の方法。
【請求項１２】
前記干渉状態が存在すると判定すること、および
ＲＡ手順中に、前記干渉状態が存在することを基地局に通知するメッセージを送信すること
をさらに備える、請求項１に記載の方法。
【請求項１３】
前記メッセージが、前記干渉状態が存在することを示すビットを備える、請求項７に記載の方法。
【請求項１４】
遅延ビットが設定された状態でメッセージを前記基地局から受信すること、および
前記遅延ビットが設定されていなかった場合より後の時間に、前記干渉状態が存在することを前記基地局に通知する前記メッセージを送ること
をさらに備える、請求項７に記載の方法。
【請求項１５】
前記属性が、前記ＵＥの能力を備え、
前記ＵＥが、使用されている前記ＲＡ手順によって前記基地局に前記能力について通知する、請求項１に記載の方法。
【請求項１６】
遅延ビットが設定された状態でメッセージを前記基地局から受信すること、および
前記ＲＡ手順中に、前記遅延ビットが設定されていなかった場合より後の時間に少なくとも１つのメッセージを送ること
をさらに備える、請求項１５に記載の方法。
【請求項１７】
前記ＲＡ手順が、
前記ＵＥがある標準の第１のバージョンに準拠することが可能であることを示すための第１のＲＡ手順と、
前記ＵＥがある標準の第１のバージョンより後の前記標準の第２のバージョンに従って前記第１のバージョンに準拠することが可能であることを示すための第２のＲＡ手順と
を備える、請求項１５に記載の方法。
【請求項１８】
ワイヤレス通信のための方法であって、
異なるランダムアクセス（ＲＡ）手順を実施するためのパラメータでユーザ機器（ＵＥ）を構成すること、
前記ＲＡ手順の１つに従って送られた１つまたは複数のＲＡメッセージを受信すること、および
使用される前記ＲＡ手順に基づいて前記ＵＥの属性を識別すること
を備え、前記属性が、前記ＵＥによる干渉状態の検出を備える、方法。
【請求項１９】
前記ＵＥが第１のＲＡ手順を使用している場合、前記ＵＥが前記干渉状態を検出していないと判定すること、および
前記ＵＥが第２のＲＡ手順を使用している場合、前記ＵＥが前記干渉状態を検出していると判定すること
を備える、請求項１８に記載の方法。
【請求項２０】
前記第２のＲＡ手順を実施する際に使用するためにリソースパーティショニング情報（ＲＰＩ）を前記ＵＥに送信することをさらに含み、前記ＲＰＩが、サービング基地局と１つまたは複数の非サービング基地局との間でリソースの協調パーティショニングを受けるサブフレームを示す、請求項１９に記載の方法。
【請求項２１】
前記受信することが、
基準信号受信電力（ＲＳＲＰ）測定値または基準信号受信品質（ＲＳＲＱ）測定値の少なくとも１つを備えるメッセージを受信することを備える、請求項１９に記載の方法。
【請求項２２】
閾値を基地局から送信することをさらに含み、前記受信されたＲＡメッセージの少なくとも１つが、基準信号受信電力（ＲＳＲＰ）測定値または基準信号受信品質（ＲＳＲＱ）測定値の少なくとも１つが前記閾値を超えたことを示す、請求項２１に記載の方法。
【請求項２３】
前記閾値を送信することが、前記閾値をシステム情報ブロック（ＳＩＢ）内でブロードキャストすることを備える、請求項２２に記載の方法。
【請求項２４】
前記ＲＡメッセージの少なくとも１つが、前記干渉状態が存在することを示すビットを備える、請求項１８に記載の方法。
【請求項２５】
遅延ビットが設定された状態でメッセージを基地局から送信すること、および前記遅延ビットが設定されていなかった場合より後の時間に、前記干渉状態が存在することを前記基地局に通知するメッセージを受信すること
をさらに備える、請求項１８に記載の方法。
【請求項２６】
前記属性が、前記ＵＥの能力を備え、
前記ＵＥが、使用されている前記ＲＡ手順によって基地局に前記能力について通知する、請求項１８に記載の方法。
【請求項２７】
前記ＲＡ手順が、
前記ＵＥがある標準の第１のバージョンに準拠することが可能であることを示すための第１のＲＡ手順と、
前記ＵＥがある標準の第１のバージョンより後の前記標準の第２のバージョンに従って前記第１のバージョンに準拠することが可能であることを示すための第２のＲＡ手順と
を備える、請求項２６に記載の方法。
【請求項２８】
前記属性が、前記少なくとも１つのＵＥがサービングノードＢと１つまたは複数の非サービングノードＢとの間でリソースの協調パーティショニングを受けるサブフレームに気付くことが可能であるか否かを備える、請求項２６に記載の方法。
【請求項２９】
判定することが、
前記少なくとも１つの送信がランダムアクセスチャネル上で送信される定義されたシーケンスを備える場合、前記少なくとも１つのＵＥがリソースの協調パーティショニングを受けるサブフレームに気付くことが可能であると判定することを備える、請求項２８に記載の方法。
【請求項３０】
判定することが、
前記少なくとも１つの送信が事前定義の周波数リソースを使用して送られる場合、前記少なくとも１つのＵＥがリソースの協調パーティショニングを受けるサブフレームに気付くことが可能であると判定することを備える、請求項２８に記載の方法。
【請求項３１】
前記判定することが、
前記少なくとも１つの送信が事前定義の時間位置を使用して送られる場合、前記少なくとも１つのＵＥがリソースの協調パーティショニングを受けるサブフレームに気付くことが可能であると判定することを備える、請求項２８に記載の方法。
【請求項３２】
ワイヤレス通信のための装置であって、
基地局からユーザ機器（ＵＥ）によって、異なるランダムアクセス（ＲＡ）手順を実施するためのコンフィギュレーションパラメータを受信するための手段と、
前記ＲＡ手順の１つに従って１つまたは複数のＲＡメッセージを送信することによって前記基地局に前記ＵＥの属性について通知するための手段であって、前記属性が、使用される前記ＲＡ手順によって示され、前記属性が、前記ＵＥによる干渉状態の検出を備える、手段と
を備える装置。
【請求項３３】
干渉状態が検出されない場合、第１のＲＡ手順が使用され、
干渉状態が検出された場合、第２のＲＡ手順が使用される、請求項３２に記載の装置。
【請求項３４】
基準信号受信電力（ＲＳＲＰ）測定値または基準信号受信品質（ＲＳＲＱ）測定値の少なくとも１つが閾値を超えた場合、前記干渉状態が存在すると判定するための手段をさらに備える、請求項３２に記載の装置。
【請求項３５】
前記閾値を前記基地局から受信するための手段をさらに備える、請求項３４に記載の装置。
【請求項３６】
前記閾値が、システム情報ブロック（ＳＩＢ）内で前記基地局からブロードキャストされる、請求項３５に記載の装置。
【請求項３７】
前記属性が、前記ＵＥの能力を備え、
前記ＵＥが、使用されている前記ＲＡ手順によって前記基地局に前記能力について通知する、請求項３２に記載の装置。
【請求項３８】
遅延ビットが設定された状態でメッセージを前記基地局から受信するための手段と、
前記ＲＡ手順中に、前記遅延ビットが設定されていなかった場合より後の時間に少なくとも１つのメッセージを送るための手段と
をさらに備える、請求項３７に記載の装置。
【請求項３９】
前記ＲＡ手順が、
前記ＵＥがある標準の第１のバージョンに準拠することが可能であることを示すための第１のＲＡ手順と、
前記ＵＥがある標準の第１のバージョンより後の前記標準の第２のバージョンに従って前記第１のバージョンに準拠することが可能であることを示すための第２のＲＡ手順と
を備える、請求項３７に記載の装置。
【請求項４０】
ワイヤレス通信のための装置であって、
異なるランダムアクセス（ＲＡ）手順を実施するためのパラメータでユーザ機器（ＵＥ）を構成するための手段と、
前記ＲＡ手順の１つに従って送られた１つまたは複数のＲＡメッセージを受信するための手段と、
使用される前記ＲＡ手順に基づいて前記ＵＥの属性を識別するための手段と
を備え、前記属性が、前記ＵＥによる干渉状態の検出を備える、装置。
【請求項４１】
前記属性が、前記ＵＥの能力を備え、
前記ＵＥが、使用されている前記ＲＡ手順によって基地局に前記能力について通知する、請求項４０に記載の装置。
【請求項４２】
前記ＲＡ手順が、
前記ＵＥがある標準の第１のバージョンに準拠することが可能であることを示すための第１のＲＡ手順と、
前記ＵＥがある標準の第１のバージョンより後の前記標準の第２のバージョンに従ってある標準の前記第１のバージョンに準拠することが可能であることを示すための第２のＲＡ手順と
を備える、請求項４１に記載の装置。
【請求項４３】
ワイヤレス通信のための装置であって、
基地局からユーザ機器（ＵＥ）によって、異なるランダムアクセス（ＲＡ）手順を実施するためのコンフィギュレーションパラメータを受信し、前記ＲＡ手順の１つに従って１つまたは複数のＲＡメッセージを送信することによって前記基地局に前記ＵＥの属性について通知するように構成された少なくとも１つのプロセッサであって、前記属性が、使用される前記ＲＡ手順によって示される、プロセッサと、
前記少なくとも１つのプロセッサに結合されたメモリと
を備え、前記属性が、前記ＵＥによる干渉状態の検出を備える、装置。
【請求項４４】
ワイヤレス通信のための装置であって、
異なるランダムアクセス（ＲＡ）手順を実施するためのパラメータでユーザ機器（ＵＥ）を構成し、前記ＲＡ手順の１つに従って送られた１つまたは複数のＲＡメッセージを受信し、使用される前記ＲＡ手順に基づいて前記ＵＥの属性を識別するように構成された少なくとも１つのプロセッサであって、前記属性が、前記ＵＥによる干渉状態の検出を備える、プロセッサと、
前記少なくとも１つのプロセッサに結合されたメモリと
を備える装置。
【請求項４５】
命令が記憶されているコンピュータ可読記憶媒体であって、前記命令が、
基地局からユーザ機器（ＵＥ）によって、異なるランダムアクセス（ＲＡ）手順を実施するためのコンフィギュレーションパラメータを受信し、
前記ＲＡ手順の１つに従って１つまたは複数のＲＡメッセージを送信することによって前記基地局に前記ＵＥの属性について通知するように、１つまたは複数のプロセッサによって実行可能であり、前記属性が、使用される前記ＲＡ手順によって示され、前記属性が、前記ＵＥによる干渉状態の検出を備える、コンピュータ可読記憶媒体。
【請求項４６】
命令が記憶されているコンピュータ可読記憶媒体であって、前記命令が、
異なるランダムアクセス（ＲＡ）手順を実施するためのパラメータでユーザ機器（ＵＥ）を構成し、
前記ＲＡ手順の１つに従って送られた１つまたは複数のＲＡメッセージを受信し、
使用される前記ＲＡ手順に基づいて前記ＵＥの属性を識別するように、１つまたは複数のプロセッサによって実行可能であり、前記属性が、前記ＵＥによる干渉状態の検出を備える、コンピュータ可読記憶媒体。
【発明の詳細な説明】
【技術分野】
【０００１】
（関連出願の相互参照）
本願は、２０１０年４月１３日に出願された「ＲＡＮＤＯＭ  ＡＣＣＥＳＳ  ＰＲＯＣＥＤＵＲＥ  ＥＮＨＡＮＣＥＭＥＮＴＳ  ＦＯＲ  ＨＥＴＥＲＯＧＥＮＥＯＵＳ  ＮＥＴＷＯＲＫＳ」という名称の米国特許仮出願第６１／３２３，８１５号、および２０１０年１０月１８日に出願された「ＲＡＮＤＯＭ  ＡＣＣＥＳＳ  ＰＲＯＣＥＤＵＲＥ  ＥＮＨＡＮＣＥＭＥＮＴＳ  ＦＯＲ  ＬＴＥ  ＨＥＴＥＲＯＧＥＮＥＯＵＳ  ＮＥＴＷＯＲＫＳ」という名称の米国特許仮出願第６１／３９４，２６８号の優先権を主張し、そのどちらも参照によりそれらの全体を明示的に本明細書に組み込む。
【０００２】
本開示は、一般に通信に関し、より詳細には、ワイヤレス通信ネットワークにおける通信を維持するための技法に関する。
【背景技術】
【０００３】
ワイヤレス通信ネットワークは、音声、ビデオ、パケットデータ、メッセージング、ブロードキャストなど、様々な通信サービスを提供するために広く展開されている。これらのワイヤレスネットワークは、使用可能なネットワークリソースを共用することによって複数のユーザを維持することが可能な多元接続ネットワークとすることができる。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
ワイヤレス通信ネットワークは、いくつかのユーザ機器（ＵＥ）のための通信を維持することができるいくつかの基地局を含むことができる。ＵＥは、ダウンリンクおよびアップリンクを介して基地局と通信することができる。ダウンリンク（または下りリンク）は、基地局からＵＥへの通信リンクを指し、アップリンク（または上りリンク）は、ＵＥから基地局への通信リンクを指す。
【０００５】
基地局は、データおよび制御情報をダウンリンク上でＵＥに送信することができ、かつ／またはデータおよび制御情報をアップリンク上でＵＥから受信することができる。ダウンリンク上では、基地局からの送信は、隣接基地局からの送信により干渉を受ける可能性がある。アップリンク上では、ＵＥからの送信は、隣接基地局と通信する他のＵＥからの送信に対して干渉を引き起こす可能性がある。干渉は、ダウンリンクとアップリンクで共に性能を劣化させるおそれがある。
【発明の概要】
【０００６】
本開示のいくつかの態様は、ワイヤレス通信のための方法を提供する。この方法は、概して、基地局からユーザ機器（ＵＥ）によって、異なるランダムアクセス（ＲＡ）手順を実施するためのコンフィギュレーションパラメータを受信すること、およびＲＡ手順の１つに従って１つまたは複数のＲＡメッセージを送信することによって基地局にＵＥの属性について通知することであって、属性が、使用されるＲＡ手順によって示されることを含む。
【０００７】
本開示のいくつかの態様は、ワイヤレス通信のための方法を提供する。この方法は、概して、異なるランダムアクセス（ＲＡ）手順を実施するためのパラメータでユーザ機器（ＵＥ）を構成すること、ＲＡ手順の１つに従って送られた１つまたは複数のＲＡメッセージを受信すること、使用されるＲＡ手順に基づいてＵＥの属性を識別することを含む。
【０００８】
本開示のいくつかの態様は、ワイヤレス通信のための方法を提供する。この方法は、概して、サービングノードＢと１つまたは複数の非サービングノードＢとの間でリソースの協調パーティショニングを受ける１つまたは複数のサブフレームを識別すること、１つまたは複数のサブフレームを使用してランダムアクセス（ＲＡ）手順を実施するためにユーザ機器（ＵＥ）を構成することを含む。
【０００９】
本開示のいくつかの態様は、ワイヤレス通信のための装置を提供する。この装置は、概して、基地局からユーザ機器（ＵＥ）によって、異なるランダムアクセス（ＲＡ）手順を実施するためのコンフィギュレーションパラメータを受信するための手段と、ＲＡ手順の１つに従って１つまたは複数のＲＡメッセージを送信することによって基地局にＵＥの属性について通知するための手段であって、属性が、使用されるＲＡ手順によって示される、手段とを含む。
【００１０】
本開示のいくつかの態様は、ワイヤレス通信のための装置を提供する。この装置は、概して、異なるランダムアクセス（ＲＡ）手順を実施するためのパラメータでユーザ機器（ＵＥ）を構成するための手段と、ＲＡ手順の１つに従って送られた１つまたは複数のＲＡメッセージを受信するための手段と、使用されるＲＡ手順に基づいてＵＥの属性を識別するための手段とを含む。
【００１１】
本開示のいくつかの態様は、ワイヤレス通信のための装置を提供する。この装置は、概して、サービングノードＢと１つまたは複数の非サービングノードＢとの間でリソースの協調パーティショニングを受ける１つまたは複数のサブフレームを識別するための手段と、１つまたは複数のサブフレームを使用してランダムアクセス（ＲＡ）手順を実施するためにユーザ機器（ＵＥ）を構成するための手段とを含む。
【００１２】
本開示のいくつかの態様は、ワイヤレス通信のための装置を提供する。この装置は、概して、基地局からユーザ機器（ＵＥ）によって、異なるランダムアクセス（ＲＡ）手順を実施するためのコンフィギュレーションパラメータを受信し、ＲＡ手順の１つに従って１つまたは複数のＲＡメッセージを送信することによって基地局にＵＥの属性について通知するように構成された少なくとも１つのプロセッサであって、属性が、使用されるＲＡ手順によって示される、プロセッサを含む。
【００１３】
本開示のいくつかの態様は、ワイヤレス通信のための装置を提供する。この装置は、概して、異なるランダムアクセス（ＲＡ）手順を実施するためのパラメータでユーザ機器（ＵＥ）を構成し、ＲＡ手順の１つに従って送られた１つまたは複数のＲＡメッセージを受信し、使用されるＲＡ手順に基づいてＵＥの属性を識別するように構成された少なくとも１つのプロセッサを含む。
【００１４】
本開示のいくつかの態様は、ワイヤレス通信のための装置を提供する。この装置は、概して、サービングノードＢと１つまたは複数の非サービングノードＢとの間でリソースの協調パーティショニングを受ける１つまたは複数のサブフレームを識別し、１つまたは複数のサブフレームを使用してランダムアクセス（ＲＡ）手順を実施するためにユーザ機器（ＵＥ）を構成するように構成された少なくとも１つのプロセッサを含む。
【００１５】
本開示のいくつかの態様は、命令が記憶されているコンピュータ可読媒体を備えるコンピュータプログラム製品を提供する。これらの命令は、概して、基地局からユーザ機器（ＵＥ）によって、異なるランダムアクセス（ＲＡ）手順を実施するためのコンフィギュレーションパラメータを受信し、ＲＡ手順の１つに従って１つまたは複数のＲＡメッセージを送信することによって基地局にＵＥの属性について通知するために、１つまたは複数のプロセッサによって実行可能であり、属性が、使用されるＲＡ手順によって示される。
【００１６】
本開示のいくつかの態様は、命令が記憶されているコンピュータ可読媒体を備えるコンピュータプログラム製品を提供する。これらの命令は、概して、異なるランダムアクセス（ＲＡ）手順を実施するためのパラメータでユーザ機器（ＵＥ）を構成し、ＲＡ手順の１つに従って送られた１つまたは複数のＲＡメッセージを受信し、使用されるＲＡ手順に基づいてＵＥの属性を識別するために、１つまたは複数のプロセッサによって実行可能である。
【００１７】
本開示のいくつかの態様は、命令が記憶されているコンピュータ可読媒体を備えるコンピュータプログラム製品を提供する。これらの命令は、概して、サービングノードＢと１つまたは複数の非サービングノードＢとの間でリソースの協調パーティショニングを受ける１つまたは複数のサブフレームを識別し、１つまたは複数のサブフレームを使用してランダムアクセス（ＲＡ）手順を実施するためにユーザ機器（ＵＥ）を構成するために、１つまたは複数のプロセッサによって実行可能である。
【図面の簡単な説明】
【００１８】
【図１】本開示のいくつかの態様による、ワイヤレス通信ネットワークの一例を概念的に示すブロック図。
【図２】例示的な基地局および例示的なユーザ機器（ＵＥ）のブロック図。
【図３】周波数分割複信（ＦＤＤ）のためのフレーム構造の図。
【図４】ダウンリンクのための２つの例示的なサブフレームフォーマットの図。
【図５】本開示の態様による、例示的な、支配的な干渉シナリオの図。
【図６】例示的なリソースのパーティションの図。
【図７】本開示のいくつかの態様による、基地局およびＵＥの例示的な機能構成要素の図。
【図８】本開示のいくつかの態様による、リソースパーティショニング下でＵＥがアクセスを実施することを基地局が可能にする例示的な方式の図。
【図９】本開示のいくつかの態様による、リソースパーティショニング下でＵＥがアクセスを実施することを基地局が可能にする例示的な方式の図。
【図１０】本開示のいくつかの態様による、リソースパーティショニング下でＵＥがアクセスを実施することを基地局が可能にする例示的な方式の図。
【図１１】本開示の一態様による、例示的な動作を示す流れ図。
【図１２】本開示の一態様による、例示的な動作を示す流れ図。
【図１３】本開示の一態様による、例示的な動作を示す流れ図。
【図１４】本開示の一態様による、例示的な動作を示す流れ図。
【図１５】本開示の一態様による、例示的な動作を示す流れ図。
【図１６】本開示の一態様による、例示的な動作を示す流れ図。
【図１７】本開示の一態様による、例示的な動作を示す流れ図。
【図１８】本開示の一態様による、例示的な動作を示す流れ図。
【図１９】本開示の一態様による、例示的な動作を示す流れ図。
【図２０】本開示の一態様による、例示的な動作を示す流れ図。
【図２１】本開示の一態様による、例示的な動作を示す流れ図。
【発明を実施するための形態】
【００１９】
本開示のいくつかの態様は、ユーザ機器がランダムアクセス（ＲＡ）手順中に１つまたは複数の属性に関する情報を基地局に伝えることを可能にする様々な機構を提供する。これらの属性は、たとえばＵＥの（たとえば、ある標準の特定の特徴またはバージョンをサポートする）能力またはＵＥの状態（たとえば、現在、干渉状態に陥っているかどうか）を含むことができる。
【００２０】
本開示のいくつかの態様は、ユーザ機器（ＵＥ）の属性に関する情報を基地局（ＢＳ）に伝えるためにＵＥによって実施されるランダムアクセス（ＲＡ）手順を使用するための技法を提供する。ＢＳは、異なるタイプのＲＡ手順を実施するためのパラメータでＵＥを構成することができ、使用される特定のＲＡ手順は、ＢＳに対して属性を示すことができる。たとえば、ＵＥは、干渉状態が検出されたとき１つのＲＡ手順を使用することができ、干渉状態が検出されないとき第２のＲＡ手順を使用することができる。別の例として、ＵＥは、特定のＲＡ手順を使用することによってその能力を示すことができる（たとえば、１つのＲＡ手順は、ＢＳに対して、ＵＥがリソースパーティショニング情報に気付き、それを使用する能力を有することを示すことができる）。
【００２１】
本明細書に記載の技法は、ＣＤＭＡ、ＴＤＭＡ、ＦＤＭＡ、ＯＦＤＭＡ、ＳＣ−ＦＤＭＡ、および他のネットワークなど、様々なワイヤレス通信ネットワークのために使用することができる。「ネットワーク」および「システム」という用語は、しばしば交換可能に使用される。ＣＤＭＡネットワークは、ユニバーサル地上無線アクセス（ＵＴＲＡ）、ｃｄｍａ２０００など、無線技術を実装することができる。ＵＴＲＡは、広帯域ＣＤＭＡ（ＷＣＤＭＡ）、時分割・同期ＣＤＭＡ（ＴＤ−ＳＣＤＭＡ）、および他のＣＤＭＡの変型形態を含む。ｃｄｍａ２０００は、ＩＳ−２０００標準、ＩＳ−９５標準、およびＩＳ−８５６標準をカバーする。ＴＤＭＡネットワークは、Ｇｌｏｂａｌ  Ｓｙｓｔｅｍ  ｆｏｒ  Ｍｏｂｉｌｅ（ＧＳＭ）（登録商標）など、無線技術を実装することができる。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭなど、無線技術を実装することができる。ＵＴＲＡおよびＥ−ＵＴＲＡは、ユニバーサルモバイル通信システム（ＵＭＴＳ）の一部である。周波数分割複信（ＦＤＤ）および時分割複信（ＴＤＤ）双方における３ＧＰＰロング・ターム・エボリューション（ＬＴＥ）およびＬＴＥ−Ａ（ＬＴＥ−Ａｄｖａｎｃｅｄ）は、Ｅ−ＵＴＲＡを使用するＵＭＴＳの新しいリリースであり、ダウンリンク上でＯＦＤＭＡ、アップリンク上でＳＣ−ＦＤＭＡを使用する。ＵＴＲＡ、Ｅ−ＵＴＲＡ、ＵＭＴＳ、ＬＴＥ、ＬＴＥ−Ａ、およびＧＳＭは、「第３世代パートナーシップ・プロジェクト」（３ＧＰＰ）という名称の組織からの文書に記載されている。ｃｄｍａ２０００およびＵＭＢは、「第３世代パートナーシップ・プロジェクト２」（３ＧＰＰ２）という名称の組織からの文書に記載されている。本明細書に記載の技法は、上述のワイヤレスネットワークおよび無線技術、ならびに他のワイヤレスネットワークおよび無線技術に使用することができる。わかりやすいように、これらの技法のいくつかの側面については、下記でＬＴＥに関して述べ、ＬＴＥ用語が下記の大半の説明で使用される。
【００２２】
図１は、本明細書に記載のＲＡ手順が実施され得るワイヤレス通信ネットワーク１００を示す。ネットワーク１００は、ＬＴＥネットワークまたは他のワイヤレスネットワークとすることができる。ワイヤレスネットワーク１００は、いくつかのｅＮｏｄｅＢ（ｅＮＢ）１１０と、他のネットワークエンティティとを含むことができる。ｅＮＢは、ＵＥと通信するエンティティであり、基地局、ｅＮｏｄｅＢ、アクセスポイントなどと呼ばれることもある。各ｅＮＢは、特定の地理的エリアに通信カバレージをもたらすことができる。３ＧＰＰでは、「セル」という用語は、その用語が使用される文脈に応じて、ｅＮＢのカバレージエリア、および／またはこのカバレージエリアにサービスを提供するｅＮＢサブシステムを指すことができる。
【００２３】
ｅＮＢは、マクロセル、ピコセル、フェムトセル、および／または他のタイプのセルに通信カバレージを提供することができる。マクロセルは、比較的大きな地理的エリア（たとえば、半径数キロメートル）をカバーすることができ、サービス加入申込みを有するＵＥによる無制限のアクセスを可能にすることができる。ピコセルは、比較的小さな地理的エリアをカバーすることができ、サービス加入申込みを有するＵＥによる無制限のアクセスを可能にすることができる。フェムトセルは、比較的小さな地理的エリア（たとえば、家庭）をカバーすることができ、そのフェムトセルと関連を有するＵＥ（たとえば、非限定加入者グループ（ＣＳＧ）内のＵＥ）による制限されたアクセスを可能にすることができる。マクロセル用のｅＮＢは、マクロｅＮＢと呼ばれることがある。ピコセル用のｅＮＢは、ピコｅＮＢと呼ばれることがある。フェムトセル用のｅＮＢは、フェムトｅＮＢまたはホームｅＮＢ（ＨｅＮＢ）と呼ばれることがある。図１に示されている例では、ｅＮＢ１１０ａは、マクロセル１０２ａ用のマクロｅＮＢとすることができ、ｅＮＢ１１０ｂは、ピコセル１０２ｂ用のピコｅＮＢとすることができ、ｅＮＢ１１０ｃは、フェムトセル１０２ｃ用のフェムトｅＮＢとすることができる。ｅＮＢは、１つまたは複数の（たとえば３つの）セルをサポートすることができる。「ｅＮＢ」「基地局」および「セル」という用語は、本明細書で交換可能に使用されることがある。
【００２４】
ワイヤレスネットワーク１００は、中継局をも含むことができる。中継局は、上流の局（たとえば、ｅＮＢまたはＵＥ）からデータの送信を受信し、そのデータの送信を下流の局（たとえば、ＵＥまたはｅＮＢ）に送ることができるエンティティである。また、中継局は、他のＵＥのために送信を中継することができるＵＥとすることもできる。図１に示されている例では、中継局１１０ｄが、マクロｅＮＢ１１０ａとＵＥ１２０ｄとの間の通信を円滑にするために、ｅＮＢ１１０ａおよびＵＥ１２０ｄと通信することができる。中継局は、中継ｅＮＢ、中継基地局、リレーなどと呼ばれることもある。
【００２５】
ワイヤレスネットワーク１００は、異なるタイプのｅＮＢ、たとえばマクロｅＮＢ、ピコｅＮＢ、フェムトｅＮＢ、中継ｅＮＢなどを含む異種ネットワークとすることができる。これらの異なるタイプのｅＮＢは、異なる送信電力レベル、異なるカバレージエリア、およびワイヤレスネットワーク１００内の干渉に対する異なる影響を有する可能性がある。たとえば、マクロｅＮＢは、高い送信電力レベル（たとえば、５〜４０ワット）を有する可能性があり、一方、ピコｅＮＢ、フェムトｅＮＢ、および中継ｅＮＢは、より低い送信電力レベル（たとえば、０．１〜２ワット）を有する可能性がある。
【００２６】
ネットワークコントローラ１３０が１組のｅＮＢに結合することができ、これらのｅＮＢを調整および制御することができる。ネットワークコントローラ１３０は、バックホールを介してｅＮＢと通信することができる。また、これらのｅＮＢは、たとえばワイヤレスバックホールまたはワイヤラインバックホールを介して直接または間接的に、互いに通信することができる。
【００２７】
以下でより詳細に述べるように、いくつかの態様によれば、ｅＮＢは、セル間干渉調整（ＩＣＩＣ）を実施することができる。ＩＣＩＣは、強い干渉ｅＮＢの付近に位置するｅＮＢにリソースを割り振るためのリソース調整／パーティショニングを達成するために、ｅＮＢ間でのネゴシエーションを必要とする可能性がある。干渉ｅＮＢは、おそらくはＣＲＳを除いて、割り振られた／保護されたリソースで送信することを回避することができる。次いで、ＵＥは、干渉ｅＮＢの存在下で、保護されたリソースでｅＮＢと通信することができ、干渉ｅＮＢから（おそらくはＣＲＳを除いて）干渉を受けない可能性がある。
【００２８】
ＵＥ１２０は、ワイヤレスネットワーク１００全体にわたって分散されてもよく、各ＵＥは、静止型またはモバイルとすることができる。ＵＥは、端末、移動局、加入者ユニット、ステーションなどと呼ばれることもある。ＵＥは、セルラ電話、携帯情報端末（ＰＤＡ）、ワイヤレスモデム、ワイヤレス通信デバイス、ハンドヘルドデバイス、ラップトップデバイス、コードレス電話、ワイヤレスローカルループ（ＷＬＬ）ステーション、スマートフォン、ネットブック、スマートブックなどとすることができる。
【００２９】
図２は、図１における基地局／ｅＮＢの１つおよびＵＥの１つとすることができる基地局／ｅＮＢ１１０およびＵＥ１２０の設計のブロック図を示す。基地局１１０は、Ｔ個のアンテナ２３４ａ〜２３４ｔを備えることができ、ＵＥ１２０は、Ｒ個のアンテナ２５２ａ〜２５２ｒを備えることができ、ここで一般にＴ≧１およびＲ≧１である。
【００３０】
基地局１１０では、送信プロセッサ２２０が、１つまたは複数のＵＥについてデータソース２１２からデータを受信し、ＵＥから受信されたＣＱＩに基づいて各ＵＥのための１つまたは複数の変調符号化方式（ＭＣＳ）を選択し、各ＵＥのためのデータを、そのＵＥのために選択された（１つまたは複数の）ＭＣＳに基づいて処理（たとえば、符号化および変調）し、ＵＥすべてについてデータシンボルを提供することができる。また、送信プロセッサ２２０は、（たとえば、ＳＲＰＩなどのための）システム情報および制御情報（たとえば、ＣＱＩ要求、グラント、上部レイヤシグナリングなど）を処理し、オーバーヘッドシンボルおよび制御シンボルを提供することができる。また、プロセッサ２２０は、基準信号（たとえば、ＣＲＳ）および同期信号（たとえば、ＰＳＳおよびＳＳＳ）のための基準シンボルを生成することができる。送信（ＴＸ）複数入力複数出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実施することができ、Ｔ個の変調器（ＭＯＤ）２３２ａ〜２３２ｔにＴ個の出力シンボルストリームを送ることができる。各変調器２３２は、出力サンプルストリームを得るために（たとえば、ＯＦＤＭなどのために）それぞれの出力シンボルストリームを処理することができる。各変調器２３２は、ダウンリンク信号を得るために、その出力サンプルストリームをさらに処理する（たとえば、アナログに変換する、増幅する、フィルタする、およびアップコンバートする）ことができる。変調器２３２ａ〜２３４ｔからのＴ個のダウンリンク信号を、それぞれＴ個のアンテナ２３４ａ〜２３４ｔを介して送信することができる。
【００３１】
ＵＥ１２０では、アンテナ２５２ａ〜２５２ｒが、基地局１１０および／または他の基地局からダウンリンク信号を受信することができ、受信信号をそれぞれ復調器（ＤＥＭＯＤ）２５４ａ〜２５４ｒに送ることができる。各復調器２５４は、入力サンプルを得るために、その受信信号を調節する（たとえば、フィルタする、増幅する、ダウンコンバートする、およびデジタル化する）ことができる。各復調器２５４は、受信シンボルを得るために、（たとえば、ＯＦＤＭなどのために）入力サンプルをさらに処理することができる。ＭＩＭＯ検出器２５６は、Ｒ個の復調器２５４ａ〜２５４ｒすべてから受信シンボルを得て、適用可能な場合、受信シンボルに対してＭＩＭＯ検出を実施し、検出されたシンボルを提供することができる。受信プロセッサ２５８は、検出されたシンボルを処理（たとえば、復調および復号）し、復号されたＵＥ１２０のためのデータをデータシンク２６０に送り、復号された制御信号およびシステム情報をコントローラ／プロセッサ２８０に送ることができる。チャネルプロセッサ２８４は、下記で述べるようにＲＳＲＰ、ＲＳＳＩ、ＲＳＲＱ、ＣＱＩなどを決定することができる。
【００３２】
アップリンク上では、ＵＥ１２０にて、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備えるレポートのための）制御情報とを受信および処理することができる。また、プロセッサ２６４は、１つまたは複数の基準信号のための基準シンボルを生成することができる。送信プロセッサ２６４からの信号は、適用可能な場合、ＴＸ  ＭＩＭＯプロセッサ２６６によってプリコーディングされ、（たとえば、ＳＣ−ＦＤＭ、ＯＦＤＭなどのために）変調器２５４ａ〜２５４ｒによってさらに処理され、基地局１１０に送信されてもよい。基地局１１０では、ＵＥ１２０および他のＵＥからのアップリンク信号を、アンテナ２３４によって受信し、復調器２３２によって処理し、適用可能な場合ＭＩＭＯ検出器２３６によって検出し、ＵＥ１２０によって送られた、復号されたデータおよび制御情報を得るために、受信プロセッサ２３８によってさらに処理することができる。プロセッサ２３８は、復号されたデータをデータシンク２３９に、また復号された制御信号をコントローラ／プロセッサ２４０に送ることができる。
【００３３】
コントローラ／プロセッサ２４０、２８０は、それぞれ基地局１１０およびＵＥ１２０での動作を監督することができる。プロセッサ２４０ならびに／または基地局１１０における他のプロセッサおよびモジュールは、本明細書に記載されているように、様々なランダムアクセス手順のためにＵＥを設定するための動作を実施または監督し、そのような手順中に１つまたは複数の属性を識別することができる。たとえば、プロセッサ２８０ならびに／またはＵＥ１２０における他のプロセッサおよびモジュールは、本明細書に記載の様々なランダムアクセス手順のための動作を実施または監督することができる。メモリ２４２、２８２は、それぞれ基地局１１０およびＵＥ１２０のために、データおよびプログラムコードを記憶することができる。スケジューラ２４４は、ダウンリンクおよび／またはアップリンク上でのデータ送信のためにＵＥをスケジュールすることができる。
【００３４】
図３は、ＬＴＥにおけるＦＤＤのための例示的なフレーム構造３００を示す。ダウンリンクおよびアップリンクのそれぞれのための送信タイムラインを、無線フレームのユニットに区分することができる。各無線フレームは、所定の持続時間（たとえば、１０ミリ秒（ｍｓ））を有することができ、０から９のインデックスを有する１０個のサブフレームに区分される可能性がある。各サブフレームは、２つのスロットを含むことができる。したがって、各無線フレームは、０から１９のインデックスを有する２０個のスロットを含むことができる。各スロットは、Ｌ個のシンボル時間、たとえば（図２に示されている）ノーマル巡回プレフィックスについて７つのシンボル時間、または拡張巡回プレフィックスについて６つのシンボル時間を含むことができる。各サブフレーム内の２Ｌシンボル時間に、０から２Ｌ−１のインデックスを割り当てることができる。
【００３５】
ＬＴＥでは、ｅＮＢが、そのｅＮＢによってサポートされる各セルごとのシステム帯域幅の中心１．０８ＭＨｚにおいてダウンリンク上で優先同期信号（ＰＳＳ）およびセカンダリ同期信号（ＳＳＳ）を送信することができる。ＰＳＳおよびＳＳＳは、図３に示されているように、ノーマル巡回プレフィックスと共に、各無線フレームのサブフレーム０およびサブフレーム５内で、それぞれシンボル時間６およびシンボル時間５で送信することができる。ＰＳＳおよびＳＳＳは、ＵＥによってセル探索および獲得のために使用される可能性がある。ｅＮＢは、そのｅＮＢによってサポートされる各セルごとのシステム帯域幅にわたってセル特有の基準信号（ＣＲＳ）を送信することができる。ＣＲＳは、各サブフレームのいくつかのシンボル時間内で送信することができ、ＵＥによって、チャネル推定、チャネル品質測定、および／または他の機能を実施するために使用される可能性がある。また、ｅＮＢは、いくつかの無線フレームのスロット１内においてシンボル時間０〜３で物理ブロードキャストチャネル（ＰＢＣＨ）を送信することができる。ＰＢＣＨは、何らかのシステム情報を担持することができる。ｅＮＢは、いくつかのサブフレーム内において物理ダウンリンク共有チャネル（ＰＤＳＣＨ）上で、システム情報ブロック（ＳＩＢ）など他のシステム情報を送信することができる。ｅＮＢは、サブフレームの第１のＢ個のシンボル時間内で、物理ダウンリンク制御チャネル（ＰＤＣＣＨ）上で制御情報／データを送信することができ、ここでＢは、各サブフレームについて構成可能なものとすることができる。ｅＮＢは、各サブフレームの残りのシンボル時間内においてＰＤＳＣＨ上でトラヒックデータおよび／または他のデータを送信することができる。
【００３６】
図４は、ノーマル巡回プレフィックスを有するダウンリンクのための２つの例示的なサブフレームフォーマット４１０、４２０を示す。ダウンリンクのための使用可能な時間周波数リソースを、リソースブロックに区分することができる。各リソースブロックは、１つのスロット内で１２個のサブキャリアをカバーすることができ、いくつかのリソースエレメントを含むことができる。各リソースエレメントは、１つのシンボル時間内で１つのサブキャリアをカバーすることができ、実数値または複素値とすることができる１つの変調シンボルを送るために使用することができる。
【００３７】
サブフレームフォーマット４１０は、２つのアンテナを備えるｅＮＢに使用することができる。ＣＲＳは、アンテナ０、１からシンボル時間０、４、７、１１において送信することができる。基準信号は、送信機および受信機によって事前に知られている信号であり、パイロットと呼ばれることもある。ＣＲＳは、たとえばセル識別（ＩＤ）に基づいて生成されるあるセルに特有の基準信号である。図４では、ラベルＲａを有する所与のリソースエレメントの場合、そのリソースエレメント上でアンテナａから変調シンボルが送信される可能性があり、そのリソースエレメント上で他方のアンテナから変調シンボルが送信されない可能性がある。サブフレームフォーマット４２０は、４つのアンテナを備えるｅＮＢに使用することができる。ＣＲＳは、アンテナ０、１からシンボル時間０、４、７、１１において、またアンテナ２、３からシンボル時間１、８において送信することができる。サブフレームフォーマット４１０、４２０どちらについても、ＣＲＳは、セルＩＤに基づいて決定され得る等間隔で離隔されたサブキャリア上で送信することができる。同じ、または異なるサブキャリア上で、異なるｅＮＢがそれらのＣＲＳを、それらのセルＩＤに応じて送信することができる。サブフレームフォーマット４１０、４２０どちらについても、ＣＲＳのために使用されないリソースエレメントは、データ（たとえば、トラヒックデータ、制御データ、および／または他のデータ）を送信するために使用することができる。
【００３８】
ＬＴＥにおけるＰＳＳ、ＳＳＳ、ＣＲＳ、およびＰＢＣＨは、公然と入手可能な「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」という名称の３ＧＰＰ  ＴＳ  ３６．２１１に記載されている。
【００３９】
インターレース構造を、ＬＴＥにおけるＦＤＤのためのダウンリンクおよびアップリンクのそれぞれに使用することができる。たとえば、０からＱ−１のインデックスを有するＱ個のインターレースを定義することができ、ここでＱは、４、６、８、１０、または何らかの他の値に等しいものとすることができる。各インターレースは、Ｑ個のフレーム分だけ離隔されたサブフレームを含むことができる。具体的には、インターレースｑは、サブフレームｑ、ｑ＋Ｑ、ｑ＋２Ｑなどを含むことができ、ここでｑ∈（０，．．．，Ｑ−１）である。
【００４０】
ワイヤレスネットワークは、ダウンリンクおよびアップリンク上でのデータ送信のためにハイブリッド自動再送要求（ＨＡＲＱ）をサポートすることができる。ＨＡＲＱの場合、パケットが受信機（たとえば、ＵＥ）によって正しく復号される、または何らかの他の終了条件に遭遇するまで、送信機（たとえば、ｅＮＢ）がパケットの１つまたは複数の送信を送ることができる。同期ＨＡＲＱの場合、パケットのすべての送信を、単一のインターレースのサブフレーム内で送ることができる。非同期ＨＡＲＱの場合、パケットの各送信を、任意のサブフレーム内で送ることができる。
【００４１】
ＵＥは、複数のｅＮＢのカバレージ内に位置することができる。これらのｅＮＢの１つを、ＵＥにサービスを提供するように選択することができる。サービングｅＮＢは、受信信号強度、受信信号品質、経路損失など、様々な基準に基づいて選択される可能性がある。受信信号品質は、信号対干渉および雑音電力比（ＳＩＮＲ）、または基準信号受信品質（ＲＳＲＱ）、または何らかの他のメトリックによって定量化することができる。ＵＥは、ＵＥが１つまたは複数の干渉ｅＮＢから高い干渉を受ける可能性がある支配的な干渉シナリオにおいて動作することができる。
【００４２】
図５は、例示的な、支配的な干渉シナリオを示す。図１に示されている例では、ＵＥ  Ｔは、サービングｅＮＢ  Ｙと通信することができ、強い／支配的な干渉ｅＮＢ  Ｚから高い干渉を受ける可能性がある。
【００４３】
支配的な干渉シナリオは、制限された関係（restricted association）により生じる可能性がある。たとえば、図５では、ｅＮＢ  ＹはマクロｅＮＢとすることができ、ｅＮＢ  ＺはフェムトｅＮＢとすることができる。ＵＥ  Ｔは、フェムトｅＮＢ  Ｚに近接して位置することがあり、ｅＮＢ  Ｚについて受信電力が高い可能性がある。しかし、ＵＥ  Ｔは、制限された関係によりフェムトｅＮＢ  Ｚにアクセスすることができない可能性があり、そのとき、より低い受信電力でマクロｅＮＢ  Ｙと接続することができる。そのとき、ＵＥ  Ｔは、ダウンリンク上でフェムトｅＮＢ  Ｚから高い干渉を受ける可能性があり、またアップリンク上でフェムトｅＮＢ  Ｚに対して高い干渉を引き起こす可能性がある。
【００４４】
また、支配的な干渉シナリオは、距離延長により生じることがあり、これは、ＵＥによって検出されたｅＮＢすべての間で、より経路損失が低い、おそらくはＳＩＮＲがより低いｅＮＢにＵＥが接続するシナリオである。たとえば、図５では、ｅＮＢ  ＹはピコｅＮＢとすることができ、干渉ｅＮＢ  ＺはマクロｅＮＢとすることができる。ＵＥ  Ｔは、マクロｅＮＢ  ＺよりピコｅＮＢ  Ｙに近接して位置することがあり、ピコｅＮＢ  Ｙについて経路損失がより低い可能性がある。しかし、マクロｅＮＢ  Ｚに比べてピコｅＮＢ  Ｙの送信電力レベルがより低いため、ＵＥ  Ｔは、マクロｅＮＢ  ＺよりピコｅＮＢ  Ｙについて受信電力が低い可能性がある。しかし、経路損失がより低いため、ＵＥ  ＴにとってピコｅＮＢ  Ｙに接続することが望ましい可能性がある。これにより、ＵＥ  Ｔのための所与のデータ転送速度についてワイヤレスネットワークに対する干渉が少なくなる可能性がある。
【００４５】
一般に、ＵＥは、任意の数のｅＮＢのカバレージ内に位置することができる。１つのｅＮＢを、ＵＥにサービスを提供するように選択することができ、残りのｅＮＢは、干渉ｅＮＢとなる可能性がある。したがって、ＵＥは、任意の数の干渉ｅＮＢを有する可能性がある。わかりやすいように、大半の説明は、１つのサービングｅＮＢ  Ｙおよび１つの干渉ｅＮＢ  Ｚを有する、図５に示されたシナリオを想定する。
【００４６】
支配的な干渉シナリオにおける通信は、セル間干渉調整（ＩＣＩＣ）を実施することによって維持することができる。ＩＣＩＣのいくつかの態様によれば、リソース調整／パーティショニングを、強い干渉ｅＮＢの付近に位置するｅＮＢにリソースを割り振るために実施することができる。干渉ｅＮＢは、おそらくはＣＲＳを除いて、割り振られた／保護されたリソースで送信することを回避することができる。次いで、ＵＥは、干渉ｅＮＢの存在下で、保護されたリソースでｅＮＢと通信することができ、干渉ｅＮＢから（おそらくはＣＲＳを除いて）干渉を受けない可能性がある。
【００４７】
一般に、時間および／または周波数リソースを、リソースパーティショニングを介してｅＮＢに割り振ることができる。いくつかの態様によれば、システム帯域幅をいくつかのサブバンドに区分することができ、１つまたは複数のサブバンドをｅＮＢに割り振ることができる。別の設計では、１組のサブフレームをｅＮＢに割り振ることができる。さらに別の設計では、１組のリソースブロックをｅＮＢに割り振ることができる。わかりやすいように、以下の大半の説明は、１つまたは複数のインターレースをｅＮＢに割り振ることができる時分割多重（ＴＤＭ）リソースパーティショニング設計を想定する。割り振られた（１つまたは複数の）インターレースのサブフレームは、強い干渉ｅＮＢから干渉を受けることが少ない、または干渉を受けない可能性がある。
【００４８】
図６は、図５の支配的な干渉シナリオにおいて通信を維持するためのＴＤＭリソースパーティショニングの一例を示す。図６に示されている例では、たとえばバックホールを介したｅＮＢ間のネゴシエーションを介して、半静的または静的に、ｅＮＢ  Ｙにはインターレース０を割り振ることができ、ｅＮＢ  Ｚにはインターレース７を割り振ることができる。ｅＮＢ  Ｙは、インターレース０のサブフレーム内でデータを送信することができ、インターレース７のサブフレーム内でデータを送信することを回避することができる。反対に、ｅＮＢ  Ｚは、インターレース７のサブフレーム内でデータを送信することができ、インターレース０のサブフレーム内でデータを送信することを回避することができる。残りのインターレース１〜７のサブフレームは、適応的／動的にｅＮＢ  Ｙおよび／またはｅＮＢ  Ｚに割り振ることができる。
【００４９】
表１は、一設計による様々なタイプのサブフレームをリストしている。ｅＮＢ  Ｙから見て、ｅＮＢ  Ｙに割り振られたインターレースは、ｅＮＢ  Ｙが使用することができ干渉ｅＮＢからの干渉がない、またはほとんどない「保護」サブフレーム（Ｕサブフレーム）を含むことができる。別のｅＮＢ  Ｚに割り振られたインターレースは、ｅＮＢ  Ｙがデータ送信のために使用することができない「禁止」サブフレーム（Ｎサブフレーム）を含むことができる。どのｅＮＢにも割り振られていないインターレースは、様々なｅＮＢが使用することができる「共通」サブフレーム（Ｃサブフレーム）を含むことができる。適応的に割り振られるサブフレームは、接頭辞「Ａ」と共に示され、保護サブフレーム（ＡＵサブフレーム）、または禁止サブフレーム（ＡＮサブフレーム）または共通サブフレーム（ＡＣサブフレーム）とすることができる。これらの異なるタイプのサブフレームは、他の名称によって呼ばれることもある。たとえば、保護サブフレームは、予約サブフレーム、割り振られたサブフレームなどと呼ばれることがある。
【表１】
0005868945.tif 000002
【００５０】
いくつかの態様によれば、ｅＮＢは、静的なリソースパーティショニング情報（ＳＲＰＩ）をそのＵＥに送信することができる。いくつかの態様によれば、ＳＲＰＩは、Ｑ個のインターレースのためにＱ個のフィールドを備えることができる。各インターレースのためのフィールドは、そのインターレースがｅＮＢに割り振られておりＵサブフレームを含むことを示すように「Ｕ」に設定され、またはそのインターレースが別のｅＮＢに割り振られておりＮサブフレームを含むことを示すように「Ｎ」に設定され、またはそのインターレースがどのｅＮＢにも適応的に割り振られＸサブフレームを含むことを示すように「Ｘ」に設定され得る。ＵＥは、ＳＲＰＩをｅＮＢから受信することができ、そのＳＲＰＩに基づいてそのｅＮＢのためのＵサブフレームおよびＮサブフレームを識別することができる。ＳＲＰＩ内の「Ｘ」とマークされた各インターレースについて、ＵＥは、そのインターレース内のＸサブフレームがＡＵサブフレームになるのか、それともＡＮサブフレームか、それともＡＣサブフレームか知らない可能性がある。ＵＥは、ＳＲＰＩを介してリソースパーティショニングの半静的な部分だけを知ることができ、一方、ｅＮＢは、リソースパーティショニングの半静的な部分と適応的な部分とを共に知ることができる。図６に示されている例では、ｅＮＢ  ＹのためのＳＲＰＩは、インターレース０について「Ｕ」、インターレース７について「Ｎ」、および残りの各インターレースについて「Ｘ」を含むことができる。ｅＮＢ  ＺのためのＳＲＰＩは、インターレース７について「Ｕ」、インターレース０について「Ｎ」、および残りの各インターレースについて「Ｘ」を含むことができる。
【００５１】
ＵＥは、サービングｅＮＢの受信信号品質を、そのサービングｅＮＢからのＣＲＳに基づいて推定することができる。ＵＥは、受信信号品質に基づいてＣＱＩを決定することができ、そのＣＱＩをサービングｅＮＢにレポートすることができる。サービングｅＮＢは、ＵＥに対するデータ送信のための変調符号化方式（ＭＣＳ）を選択するために、そのＣＱＩをリンクアダプテーションに使用することができる。異なるタイプのサブフレームは干渉の量が異なる可能性があり、したがってＣＱＩが非常に異なる可能性がある。具体的には、保護サブフレーム（たとえば、ＵサブフレームおよびＡＵサブフレーム）は、支配的な干渉ｅＮＢがこれらのサブフレームで送信しないので、より良好なＣＱＩによって特徴付けられる可能性がある。対照的に、１つまたは複数の支配的な干渉ｅＮＢが送信することができる他のサブフレーム（たとえば、Ｎサブフレーム、ＡＮサブフレーム、ＡＣサブフレーム）について、ＣＱＩははるかに悪くなる可能性がある。ＣＱＩから見て、ＡＵサブフレームは、Ｕサブフレームと等価とすることができ（共に保護型である）、ＡＮサブフレームは、Ｎサブフレームと等価とすることができる（共に禁止型である）。ＡＣサブフレームは、完全に異なるＣＱＩによって特徴付けられる可能性がある。良好なリンクアダプテーション性能を達成するために、サービングｅＮＢは、そのｅＮＢがＵＥにトラヒックデータを送信する各サブフレームについて比較的正確なＣＱＩを有するべきである。
【００５２】
ランダムアクセス（ＲＡ）手順の改良
本開示のいくつかの態様は、ユーザ機器がランダムアクセス（ＲＡ）手順中に１つまたは複数の属性に関する情報を基地局に伝えることを可能にする様々な機構を提供する。これらの属性は、たとえばＵＥの（たとえば、ある標準の特定の特徴またはバージョンをサポートする）能力またはＵＥの状態（たとえば、現在、干渉状態に陥っているかどうか）を含むことができる。
【００５３】
上記で論じたように、ＩＣＩＣ対応のＵＥ（本明細書では非レガシＵＥと称する）は、リソースパーティショニング情報に気付く（たとえば、Ｕサブフレーム、ＡＵサブフレーム、Ｎサブフレームを識別する）ことができ、一方、非ＩＣＩＣ対応のＵＥ（本明細書ではレガシＵＥと称する）は、一般にそれらに気付かない。ＴＤＭパーティションフレーム内のパーティションを知っていることにより、非レガシＵＥは、様々なランダムアクセス（ＲＡ）メッセージを確実に送受信することができる。
【００５４】
しかし、現行のシステムは、異種ネットワーク内で標準的なランダムアクセス（ＲＡ）手順を実施することに複数の問題を有する可能性がある。たとえば、ｅＮＢが、ＲＡを実施するレガシＵＥと非レガシＵＥとを区別するための簡単な機構がない。さらに、ＲＡ仕様に定義されている現行のＲＡタイミングは、ＡＲＰＩの周期性と整列しない可能性がある（たとえば、上述の例では８ｍｓ）。たとえば、ＲＡ手順におけるメッセージ３は、メッセージ２が受信された６ｍｓ後に送られ、これは、保護されていないサブフレームに入り、隣接するセルに対して干渉を引き起こす可能性がある。
【００５５】
上記の考察に鑑みて、ｅＮＢがレガシＵＥと非レガシＵＥとを区別することを可能にする機構と、非レガシＵＥに知られているＵサブフレームのＡＲＰＩ周期性と合致する非レガシＵＥにおけるＲＡのための新しいタイムラインとが求められていることを理解することができる。
【００５６】
ｅＮＢは、レガシＵＥのＲＡ手順ではなく異なるＲＡ手順タイムラインを適用するために、ＵＥが非レガシＵＥであるかどうか知る必要がある。ＵＥが基地局にアクセスしている間に、ＵＥとｅＮＢまたは基地局との間で交換される複数のメッセージがある。これらのメッセージは、レガシＵＥであるか、それとも非レガシＵＥであるかを基地局に知らせるために、ＵＥによって使用される可能性がある。同じことを行うために様々な選択肢があり得る。同様に、いくつかの態様によれば、ＵＥは、そのＵＥが干渉状態を検出したかどうかなど、（ＲＰＩ能力以外の）属性を示すことができる。
【００５７】
本開示のいくつかの態様は、ＲＰＩ能力または検出された干渉状態など属性に関する情報を基地局（ＢＳ）に伝えるためにユーザ機器（ＵＥ）によって実施されるランダムアクセス（ＲＡ）手順を使用するための技法を提供する。
【００５８】
図７は、本明細書に記載のＲＡ手順を実施することが可能な、基地局７１０（たとえば、ｅＮＢ）とＵＥ７２０とを有する例示的なシステム７００を示す。図のように、基地局７１０は、ランダムアクセスチャネル（ＲＡＣＨ）処理モジュール７１４を含むことができる。ＲＡＣＨ処理モジュール７１４は、送信機モジュール７１２を介してＵＥ７２０に送信すべき１つまたは複数のＲＡＣＨコンフィギュレーションを生成することができる。ＵＥ７２０は、受信機モジュール７２６を介して（１つまたは複数の）ＲＡＣＨコンフィギュレーションを受信し、それに応じてＲＡＣＨメッセージ生成モジュール７２４を構成することができる。
【００５９】
このようにして、ＢＳ７１０は、異なるＲＡＣＨコンフィギュレーションでＵＥを構成することができ、各コンフィギュレーションは、特定のＵＥ能力および／または干渉状態下で使用され得る。ＲＡ手順を実施するとき、ＲＡＣＨメッセージ生成モジュール７２４は、送信機モジュール７２２を介してＢＳ７１０に送信すべき１つまたは複数のＲＡＣＨメッセージを生成することができる。
【００６０】
ＢＳ７１０は、受信機モジュール７１６を介してＲＡＣＨメッセージを受信することができ、ＲＡＣＨ処理モジュール７１４は、ＵＥによって使用される対応するＲＡ手順に基づいてＵＥの属性を識別するためにメッセージを処理することができる。たとえば、ＢＳ７１０は、ＲＡ手順に基づいて、ＵＥ７１０がＲＰＩを認識することが可能であるかどうか、および／またはＵＥ７１０が干渉状態を検出しているかどうか判定することができる。
【００６１】
属性（たとえば、能力または干渉状態）を示すために異なるＲＡ手順を使用するようにＵＥがまさにどのように構成されるかは、実施形態が異なると異なる可能性がある。いくつかの態様によれば、ＵＥは、メッセージの少なくとも一部の中に（たとえば、少なくともメッセージ１、メッセージ３、またはメッセージ５の一部の中に）、そのメッセージを送信するＵＥが（リソースパーティショニング情報（ＲＰＩ）を認識することが可能な）非レガシＵＥであるかどうかを示す情報を含むことができる。
【００６２】
いくつかの態様によれば、そのような情報は、レガシＵＥと非レガシＵＥに対して異なる別個のＰＲＡＣＨシーケンスを使用することを含むことができる。これらのシーケンスは、たとえば、レガシＵＥと非レガシＵＥに対して異なるルートシーケンス、または同じルートシーケンスの異なる直交シフトを含むことができる。また、これらのシーケンスは、たとえば非レガシＵＥのためのＳＩＢ−２を通じてＵＥにシグナリングされてもよい。いくつかの態様によれば、メッセージ１に含まれる情報は、レガシＵＥと非レガシＵＥに対して別個の周波数位置を使用することによって伝えられてもよい。したがって、これは、レガシＵＥと非レガシＵＥに対して、ルートシーケンスの同じセット、しかし周波数の異なるものを使用することを含むことができる。いくつかの態様によれば、メッセージ１に含まれる情報は、レガシＵＥと非レガシＵＥに対して別個の時間位置とすることができる。これは、レガシＵＥと非レガシＵＥに対して、ルートシーケンスの同じセット、しかし時間位置の異なるものを使用することを含むことができる。
【００６３】
いくつかの態様によれば、メッセージ３は、レガシＵＥと非レガシＵＥとの相違を示すために使用することができる。この場合、メッセージ１は、標準の以前のバージョンまたは現行バージョンに対して変更されないままであってもよい。ＰＲＡＣＨコンフィギュレーションは、同じままとすることができる。しかし、レガシＵＥと非レガシＵＥは、基地局からメッセージ２を受信することに対して応答が異なる可能性がある。たとえば、メッセージ２は、いつ非レガシＵＥがメッセージ３を送信するかを制御する遅延ビットを含むことができる。たとえば、メッセージ２に遅延ビットが含まれていない（またはビットが設定されていない）場合、レガシＵＥは、ｎ＋６でメッセージ３を送信し、非レガシＵＥは、次の保護（たとえば、Ｕサブフレーム）で送信することができ、「ｎ」は、メッセージ２が受信されるサブフレームである。メッセージ２に遅延ビットが含まれている場合、レガシＵＥは、それより後（たとえば、ｎ＋６ではなくｎ＋７で）メッセージ３を送信することができ、非レガシＵＥは、次のサブフレーム（ｎ＋７の後）でメッセージ３を送信する。基地局は、メッセージ３を受信するまでどの種類のＵＥがアクセスしつつあるかわからないので、２つのサブフレームを復号しなければならない可能性がある。たとえば、基地局は、最初に（遅延ビットに応じて）ｎ＋６サブフレームまたはｎ＋７サブフレームでメッセージ３を復号しようと試みることができる。ｎ＋６サブフレームまたはｎ＋７サブフレームでメッセージ３を見いだせない場合、基地局は、ｎ＋６またはｎ＋７の後で最初のＵサブフレームを復号することができる。したがって、この手法の場合、基地局は、メッセージ３のために２倍の数のアップリンクリソースを予約する必要があり得る。いくつかの態様の場合、非レガシＵＥは、隣接するセル内でのジャムまたは干渉を回避するためにリソースをクリアしているにもかかわらず、Ｎ個のＨＡＲＱ送信に制限される可能性がある。
【００６４】
いくつかの態様によれば、メッセージ５は、レガシＵＥと非レガシＵＥとの相違を示すために使用することができる。この場合、メッセージ１およびメッセージ３は、同じままとすることができる。ＲＡ手順は、レガシＵＥと非レガシＵＥに対して同一とすることができる。しかし、基地局には、メッセージ５の受信後にＵＥがレガシか否か気付かせることができる。この態様では、メッセージ５までのＵＥと基地局との間のメッセージすべての通信は、すべてのメッセージの通信に成功するまで、保護されていないサブフレーム上で複数回繰り返さなければならない可能性がある。
【００６５】
図８は、本開示の一態様による、ＴＤＭ（時分割多重）パーティショニング下でのレガシＵＥ（ユーザ機器）との基地局の動作を概念的に示す図８００を示す。図８００は、リソースパーティショニング下でレガシＵＥがアクセスを実施することを基地局が可能にする機構を示す。フレーム８０２は、ＴＤＭパーティショニングされたダウンリンクフレームであり、フレーム８０４は、ＴＤＭパーティショニングされたアップリンクフレームである。この例では、ダウンリンクフレーム８０２とアップリンクフレーム８０４との間に約４ｍｓの時間シフトがある。
【００６６】
異なるシェーディングを有する凡例によって示されているように、偶数のシステムフレーム番号（ＳＦＮ）内のサブフレーム１、５、９と、奇数のＳＦＮ内のサブフレーム３、７とは、Ｕサブフレームに対応することができ、偶数のＳＦＮ内のサブフレーム３、７と、奇数のＳＦＮ内のサブフレーム１、５、９とは適応的Ｕ（ＡＵ）サブフレームに対応することができ、一方、他のすべてのサブフレームは、ＮサブフレームまたはＡＮサブフレームとすることができる。サブフレームＵ、ＡＵは、これらの時間中に通信されるメッセージに対して干渉しない、またはほとんど干渉しないので、信頼性のあるサブフレームである。Ｎ／ＡＮサブフレームは、これらの時間中に通信されるメッセージが干渉を受ける、または隣接するセルに対してジャムを引き起こす可能性があるので、信頼性のないサブフレームである。
【００６７】
上記のように、レガシＵＥは、このパーティショニングに気付かない可能性がある。しかし、ｅＮＢは、ＲＡＣＨメッセージが保護（Ｕ／ＡＵ）サブフレームと整列するシーケンス内で交換されることになるようにＲＡＣＨ手順を実施するように、ＵＥを構成することができる。
【００６８】
たとえば、図のように、ＵＥは、（第１の偶数のＳＦＮの）ＡＵサブフレーム３内で第１のメッセージ（Ｍｓｇ１）を送信することによってＲＡ手順を開始するように構成されてもよく、（第１の偶数のＳＦＮの）ＡＵサブフレーム７内の第２のメッセージ（Ｍｓｇ２）でＢＳに応答させる。６サブフレーム後、ＵＥは、（奇数のＳＦＮの）Ｕサブフレーム３内で第３のメッセージ（Ｍｓｇ３）を送ることができ、（奇数のＳＦＮの）Ｕサブフレーム７内で基地局から送信されるＭｓｇ３のＡＣＫを（Ｍｓｇ４と共に）送るようにそのＢＳを促す。ＵＥは、（第２の偶数のＳＦＮの）Ｕサブフレーム１内でＭｓｇ４のＡＣＫを送ることができる。ＢＳは、（第２の偶数のＳＦＮの）Ｕサブフレーム５内で第５のメッセージ（Ｍｓｇ５）のためのアップリンクグラントを送ることができ、ＵＥは、（第２の偶数のＳＦＮの）Ｕサブフレーム９内でＭｓｇ５を送ることができる。
【００６９】
いくつかの態様によれば、基地局は、隣接するセルとＵサブフレームだけネゴシエーションすることができ、第３のメッセージのためのＨＡＲＱを許さない。この機構では、第３のメッセージのためのＰＨＩＣＨが送られない。第３のメッセージは、（ｎ＋６）番目のサブフレーム上で送られ、隣接するセルに対してジャムを生み出す可能性がある。また、隣接するセル内で（ｎ＋６）番目のサブフレーム上で送られた第３のメッセージは、基地局と干渉を引き起こす可能性がある。第３のメッセージの最初の送信に成功する機会を増やすために、ＵＬグラントにおける、より高い電力設定を使用することができる。さらに、ＵＥを第３のメッセージの単一の送信に制限することにより、電力競争（power racing）状態が回避される。
【００７０】
いくつかの態様の場合、基地局は、隣接するセルとＵサブフレームだけネゴシエーションし、ＲＡＣＨのための追加のサブフレームを予約する。ＲＡだけのためにＡＲＰＩを越える特別なネゴシエーションが必要とされる。
【００７１】
図９は、本開示の一態様による、ＴＤＭ（時分割多重）パーティショニング下でのレガシＵＥ（ユーザ機器）との基地局の動作を概念的に示す図９００を示す。図９００は、リソースパーティショニング下でレガシＵＥがアクセスを実施することを基地局が可能にする別の機構を示す。フレーム９０２は、ＴＤＭパーティショニングされたダウンリンクフレームであり、フレーム９０４は、ＴＤＭパーティショニングされたアップリンクフレームである。図８における例示的なフレーム構造の場合と同様に、ダウンリンクフレーム９０２とアップリンクフレーム９０４との間に約４ｍｓの時間シフトがあり得る。
【００７２】
異なるシェーディングを有する凡例によって示されているように、偶数のシステムフレーム番号（ＳＦＮ）内のサブフレーム１、５、９と、奇数のＳＦＮ内のサブフレーム３、７とは、Ｕサブフレームに対応することができ、一方、他のすべてのサブフレームは、ＮサブフレームまたはＡＮサブフレームとすることができる。
【００７３】
この例では、ｅＮＢは、ＵＥからの後続のメッセージが保護サブフレーム内で送信されるように、ＲＡ手順中にそのメッセージをいつ送信するか制御することができる。たとえば、図のように、ＵＥは、（第１の偶数のＳＦＮの）サブフレーム２内で第１のメッセージ（Ｍｓｇ１）を送信することによってＲＡ手順を開始することができる。ＵＥが、Ｍｓｇ２を受信した６サブフレーム後にＭｓｇ３を送信すると仮定すると、ｅＮＢは、（第１の偶数のＳＦＮの）サブフレーム７内でＭｓｇ２を送信することができ、それにより、（奇数のＳＦＮの）保護サブフレーム３内のＵＥのＭｓｇ３送信を整列する。同様に、ｅＮＢは、（奇数のＳＦＮの）サブフレーム７内でＭｓｇ４を送信することができ、Ｍｓｇ４のＡＣＫを（第２の偶数のＳＦＮの）保護サブフレーム１内で（４ｍｓ後に）送信させる。最後に、ｅＮＢは、（第２の偶数のＳＦＮの）サブフレーム５内でＭｓｇ５のためのアップリンクグラントを送ることができ、ＵＥに（第２の偶数のＳＦＮの）保護サブフレーム９内でＭｓｇ５を送信させる。
【００７４】
この機構により、たとえば、フェムトセルを覆い隠すマクロＵＥに対する影響を少なくして、フェムトＵＥがそれ自体のセルにアクセスすることができる。この機構は、典型的には、セルが、長時間の間、ＵＥから通信を受けておらず、ネゴシエーションを介した隣接するセルに対するその信頼性のあるサブフレームの１つ以外、すべてを失ったとき使用される。この機構は、比較的小さいオーバーヘッドおよび性能コストで実装することができる。
【００７５】
図１０は、本開示の一態様による、ＴＤＭパーティション下での非レガシＵＥとの基地局の動作を概念的に示すブロック図１０００を示す。ブロック図１０００は、修正されたＲＡタイムラインを使用してリソースパーティション下で非レガシＵＥがアクセスを実施することを基地局が可能にする機構を示す。この機構では、基地局は、アクセスするＵＥを、ＲＡ手順中にそのＵＥから受信するメッセージの１つに基づいて非レガシＵＥとして識別することができる。
【００７６】
図の例では、フレーム１００２は、ＴＤＭパーティショニングされたダウンリンクフレームであり、フレーム１００４は、ＴＤＭパーティショニングされたアップリンクフレームである。図８および図９に示されている例の場合と同様に、ダウンリンクフレーム１００２とアップリンクフレーム１００４との間に約４ｍｓの時間シフトがあり得る。
【００７７】
図８に示されている例と同様に、偶数のシステムフレーム番号（ＳＦＮ）内のサブフレーム１、５、９と、奇数のＳＦＮ内のサブフレーム３、７とは、Ｕサブフレームに対応することができ、偶数のＳＦＮ内のサブフレーム３、７と、奇数のＳＦＮ内のサブフレーム１、５、９とは適応的Ｕ（ＡＵ）サブフレームに対応することができ、一方、他のすべてのサブフレームは、ＮサブフレームまたはＡＮサブフレームとすることができる。サブフレームＵ、ＡＵは、これらの時間中に通信されるメッセージに対して干渉しない、またはほとんど干渉しないので、信頼性のあるサブフレームである。Ｎ／ＡＮサブフレームは、これらの時間中に通信されるメッセージが干渉を受ける、または隣接するセルに対してジャムを引き起こす可能性があるので、信頼性のないサブフレームである。
【００７８】
上記のように、非レガシＵＥは、このパーティショニングに気付かない可能性があり、したがってｅＮＢによって、保護サブフレーム上でＲＡメッセージを送信するように構成されてもよい。
【００７９】
したがって、ＵＥは、（第１の偶数のＳＦＮの）Ｕサブフレーム５内でＭｓｇ１を送信することによってＲＡ手順を開始することができる。いくつかの態様によれば、ＵＥの属性を（たとえば、非レガシ、または干渉を検出したとして）識別する情報をＭｓｇ１と共に送ることができる。そのような場合には、Ｍｓｇ１を受信したとき、基地局はその属性を識別することができる。基地局がＵＥを非レガシとして識別した場合、基地局は、（レガシＵＥに対して）修正されたタイミングを使用することができる。したがって、基地局は、（第１の偶数のＳＦＮの）サブフレーム９内でＭｓｇ２を送信することができる。上記で論じたように、非レガシＵＥは、Ｍｓｇ２を受信したとき、Ｍｓｇ３を送信することができる。しかし、この場合には、Ｍｓｇ２の受信後、固定された時間（たとえば、ｎ＋６）で送信するのではなく、ＵＥは、次のＵサブフレーム（第２の偶数のＳＦＮのサブフレーム１）内で送信することができる。この例では、第１の奇数のＳＦＮ内にＵサブフレームはない。
【００８０】
ｅＮＢは、（第２の偶数のＳＦＮの）Ｕサブフレーム５内でＭｓｇ３のＡＣＫを送信しＭｓｇ４を送ることができ、ＵＥにＭｓｇ４のＡＣＫを（第２の偶数のＳＦＮの）Ｕサブフレーム９内で（４ｍｓ後に）送信させる。最後に、ｅＮＢは、（第２の奇数のＳＦＮの）サブフレーム４内でＭｓｇ５のためのアップリンクグラントを送ることができ、ＵＥに（第２の奇数のＳＦＮの）Ｕサブフレーム７内でＭｓｇ５を送信させる。
【００８１】
図１０に示されているように、非レガシＵＥと基地局との間で交換されるすべてのＲＡメッセージが、信頼性のあるＵサブフレーム内で通信される可能性がある。したがって、修正されたＲＡタイムラインにより、あらゆるメッセージの通信が確実かつ干渉のないものになり得る。
【００８２】
いくつかの態様の場合、非レガシＵＥがＵサブフレームの位置に気付いていない場合には、基地局は、非レガシＵＥに、特定のサブフレーム内でＭｓｇ３を送信させることができる。基地局は、ＳＩＢ内または第２のメッセージ内の指示によって、非レガシＵＥにその特定のサブフレームについて知らせることができる。いくつかの態様の場合、非レガシＵＥは、第１のメッセージによって識別されず、基地局は、元の未修正のＲＡタイムラインで続行することができる。あるいは、第２のメッセージ（制御およびデータ部分）を、セルによってクリアされた特定のリソース（たとえば、Ｒ−ＰＤＣＣＨ、Ｒ−ＰＤＳＣＨ）上で送ることができる。これは、ＭＢＳＦＮサブフレームおよび非ＭＢＳＦＮサブフレームに適用可能とすることができる。
【００８３】
図１１は、本開示の一態様による例示的な動作１１００を示す。ブロック１１０２では、サービングノードＢと１つまたは複数の非サービングノードＢとの間でリソースの協調パーティショニングを受けるサブフレームを決定するリソースパーティショニング情報（ＲＰＩ）が決定される。ブロック１１０４では、メッセージ送信が、そのＲＰＩに基づいて、協調パーティショニングを受けるサブフレーム上でサービングノードＢにメッセージを送信するように整列される。
【００８４】
図１２は、本開示の一態様による、たとえば基地局（たとえば、ノードＢ）によって実施され得る例示的な動作１２００を示す。ブロック１２０２では、サービングノードは、少なくとも１つのユーザ機器（ＵＥ）から少なくとも１つの送信を受信する。ブロック１２０４では、サービングノードＢは、その少なくとも１つの送信に基づいて、その少なくとも１つのＵＥが、サービングノードＢと１つまたは複数の非サービングノードＢとの間でリソースの協調パーティショニングを受けるサブフレームに気付くことが可能であるか否か判定する。
【００８５】
図１３は、本開示の一態様による、たとえばＵＥによって実施され得る例示的な動作１３００を示す。ブロック１３０２では、ＵＥが少なくとも１つの送信をサービングノードＢに送る。ブロック１３０４では、ＵＥは、サービングノードＢと１つまたは複数の非サービングノードＢとの間でリソースの協調パーティショニングを受ける１つまたは複数のサブフレームに気付くことができることを示すためにその少なくとも１つの送信の少なくとも１つのパラメータを決定する。
【００８６】
図１４は、本開示の一態様による、ＵＥとサービングノードＢとの間のワイヤレス通信のための例示的な動作１４００を示す。ブロック１４０２では、サービングノードＢと１つまたは複数の非サービングノードＢとの間で、リソースの協調パーティショニングを受けるサブフレームが識別される。ブロック１４０４では、識別されたサブフレームの指示が、サービングノードＢに対するランダムアクセスを実施するためにユーザ機器（ＵＥ）に送られる。
【００８７】
図１５は、本開示の一態様による、ＵＥの動作を示す流れ図における例示的な動作１５００を示す。ブロック１５０２では、ＵＥは、サービングノードＢと１つまたは複数の非サービングノードＢとの間でリソースの協調パーティショニングを受けるサブフレームの指示を受信する。ブロック１５０４では、ＵＥは、識別されたサブフレームを使用して、サービングノードＢに対するランダムアクセスを実施する。
【００８８】
上述の方法は、ランダムアクセス手順中にＵＥのレガシ能力および非レガシ能力を識別するために使用することができる。ＵＥが干渉状態に陥っていることなど、他の属性を決定するために、同様の方法を使用することができる。たとえば、レガシＵＥは、常に同じＲＡ手順に従うことができる。より新しい非レガシＵＥは、フェムトのカバレージエリア下にありながらマクロにアクセスしようと試みているかどうか判定することなど、強い干渉状態下にあるかどうか判定することができる。ＲＳＲＰ測定およびＲＳＲＱ測定をこのために使用することができる。ＵＥが強い干渉状態にない場合、ＵＥは、レガシＲＡ手順に従うことができる。したがって、ノードＢは、そのＵＥをレガシＵＥと区別することができない可能性がある。ＵＥが強い干渉状態にある場合、ＵＥは、より新しいＲＡ手順に従うことができる。これは、より新しいＵＥが強い干渉を受けていない場合、既存の手順が良好に働くことができ、ノードＢがＵＥをレガシＵＥと異なるように扱う必要がない可能性があるからである。
【００８９】
いくつかの態様によれば、より新しいＵＥ（たとえば、ＬＴＥリリース１０標準以降に準拠することが可能なＵＥ）をレガシＵＥと区別するために、（たとえば、それらの能力について主張するために、または強い干渉にあるので）異なる手順に従うことを望むより新しいＵＥは、１つまたは複数のプリアンブルを送ることができる。複数のプリアンブルが送られる場合、それらのプリアンブルのために使用されるリソースは、しっかりと関連付けられ、ノードＢが気付くことができる事前定義の規則に従うことができる。たとえば、２つのプリアンブルが、同じフレーム内で、しかし異なる（関連の）周波数リソースで送られてもよい。あるいは、２つのプリアンブルが、異なる（関連の）プリアンブルＩＤと共に送られてもよい。あるいは、２つのサブフレームが十分近接している限り、２つのプリアンブルが、異なる（関連の）サブフレームで送られてもよい。
【００９０】
ノードＢが、新しいリリース１０規則に従う、（ある閾値内で）同じタイミングおよび電力で受信された２つのプリアンブルを検出したとき、ノードＢは、それらの２つのプリアンブルが同じＵＥから来たと結論することができる。２つの別個のＵＥが実際にレガシ手順に従っており、偶然にも関連のプリアンブルおよび時間／周波数リソースを拾うという、無視できるほどの可能性があり得る。
【００９１】
２つのプリアンブルがその規則に従っていることをノードＢが検出すると、ノードＢには、それが強い干渉におけるリリース１０ＵＥであり得ることがわかる。（規則によって決定された）関連のプリアンブルの１つに対応する１つのランダムアクセス応答だけを送信することができる。これらの方法は、ＲＡＣＨコンフィギュレーションパラメータのどのような更新をも、またハードコード化され得る事前定義の規則を除いて、リリース１０ＵＥのためのどのような特定のパラメータをも必要としない可能性があることに留意されたい。
【００９２】
メッセージ１のように、ＵＥが強い干渉を受けていることをノードＢに通知するために、メッセージ３を使用することができる。すなわち、メッセージ３は、ＲＳＲＰ／ＲＳＲＱ測定レポート、または、ＵＥもしくはネットワークによって選択された閾値に基づいてＵＥが強い干渉を受けているかどうか判定する単一のビットを含むことができる。閾値は、ノードＢによってＳＩＢの１つの中でブロードキャストされてもよく、リリース１０ＵＥだけによって解釈されてもよい。レポートされた測定（または「深刻な干渉」ビット）に基づいて、ノードＢは、ＵＥの現在の干渉状態を知り、それに応じて処置することができる。たとえば、ノードＢは、パーティション変更をトリガする、そのＵＥのために特定のスケジューリング判断を下す、などを行うことができる。ノードＢは、ＵＥがメッセージ３内で測定をレポートしなければならないか否か判断したいと望む可能性がある。メッセージ２は、このために使用されてもよい。メッセージ２は、ＣＱＩ要求ビットを含むことができ、ＣＱＩ要求ビットの意味は、競合ベースのＲＡにおいて未定義とすることができる。あるいは、測定レポートをＵＥにポーリングするために、ノードＢによってメッセージ３をハイジャックすることができる。すなわち、リリース１０ＵＥは、このビットを監視する。このビットが使用可能状態である場合、ＲＳＲＰ／ＲＳＲＱ測定をメッセージ２でレポートすることができる。ハンドオーバ中には、ノードＢは、ＭｏｂｉｌｉｔｙＣｏｎｔｒｏｌＩｎｆｏ（ハンドオーバコマンド）内に新しいビット（新しいＩＥ）を追加することによって、ＵＥに知らせることができる。たとえば、マクロＵＥが、ピコ距離伸長に対してハンドオーバされる。
【００９３】
メッセージ５もまた、ＵＥが、強い干渉を受けていることをノードＢに通知するために使用される可能性がある。メッセージ５は、ＲＣＣｏｎｎｅｃｔｉｏｎＳｅｔｕｐまたは別のＮＡＳメッセージの後で、ＵＥによって送信され得る。メッセージ５は、ＲＳＲＰ／ＲＳＲＱ測定レポートを含むことができる。この段階では、ｅＮＢは、ＵＥが深刻な干渉下にあるかどうか依然として知らない可能性があるので、スケジューリング割当て（ＤＬ）およびグラント（ＵＬ）は、（パーティショニングがすでに使用可能状態にあると仮定して）「クリーンな」サブフレーム上にあり得る。この目標は、これらの重要な制御メッセージの信頼性を最大にすることである。干渉情報がノードＢで既知となった後で、（ＵＥが深刻な干渉にない場合）スケジューリングを実現することができる。同様に、前述のように、ノードＢは、ＵＥにメッセージ５内の測定レポートを具体的に依頼することを望む可能性がある。メッセージ５のように、メッセージ４がこのために使用されてもよい。すなわち、ＲＲＣＣｏｎｎｅｃｔｉｏｎＳｅｔｕｐメッセージ内の新しいビット（たとえば、新しいＩＥ）である。リリース１０ＵＥは、このビットが設定されている場合、このビットを解釈し、メッセージ５内の測定レポートを実施することができる。
【００９４】
メッセージ１またはＲＡＣＨタイムラインの前述の変更を必要としない可能性がある高い干渉下でのＲＡＣＨ手順のための新しい方法について、３つのステップで述べることができる。第１に、メッセージ１を、リリース８の場合と同様に送ることができる。ノードＢは、ＵＥ間、またはＵＥが陥る高い／低い干渉状態間で区別することができない。第２に、以下の設定、すなわちメッセージ３のＨＡＲＱ送信の数＝１で、リリース８の場合と同様に送ることができる。この設定は、メッセージ３が保護されていないサブフレームに入る場合、隣接するセルに対するＵＬジャムを回避するために望ましい可能性がある。第３に、ＵＥは、メッセージ３を送ることができる。高い干渉状態では、メッセージ３のためのノードＢからの非レガシＵＥ  ＡＣＫ／ＮＡＣＫは、保護されていないサブフレームに入る可能性があり、失われる可能性がある。したがって、この場合におけるＵＥは、ＡＣＫ／ＮＡＣＫ情報（たとえば、Ｍｓｇ３の確認に成功しなかったこと）を無視し、ともかくメッセージ４を復号しようと試みることができる。いくつかの態様によれば、メッセージ４の復号に成功した場合、ＲＡＣＨ手順は、リリース８の場合と同様に続行する。そうでない場合には、手順を再スタートすることができる。
【００９５】
図１６は、本開示の一態様による、ＵＥによって実施することができる例示的な動作１６００を示す。１６０２では、ＵＥは、干渉状態が存在するかどうか判定する。１６０４では、干渉状態が存在しないと判定された場合、ＵＥは、第１のランダムアクセス（ＲＡ）手順を使用する。１６０６では、干渉状態が存在すると判定された場合、ＵＥは、第２のＲＡ手順を使用する。
【００９６】
図１７は、本開示の一態様による、基地局によって実施することができる例示的な動作１７００を示す。１７０２では、基地局は、ＵＥが干渉状態の存在を示すことができるように、複数のＲＡ手順でＵＥを構成する。１７０４では、基地局は、ＵＥによって使用されているＲＡ手順に基づいてＵＥが干渉状態に陥っているか否か判定する。
【００９７】
図１８は、本開示の一態様による、ＵＥによって実施することができる例示的な動作１８００を示す。１８０２では、ＵＥは、少なくとも第１および第２のプリアンブルを生成する。１８０４では、ＵＥは、ＵＥが実施することが可能な１つまたは複数のＲＡ手順を基地局に対して示すために、第１および第２のプリアンブルを送信する。
【００９８】
図１９は、本開示の一態様による、基地局によって実施することができる例示的な動作を示す。１９０２では、基地局は、ＵＥから少なくとも第１および第２のプリアンブルを受信する。１９０４では、基地局は、第１および第２のプリアンブルに基づいて、ＵＥが実施することが可能な１つまたは複数のＲＡ手順を決定する。
【００９９】
図２０は、本開示の一態様による、ＵＥによって実施することができる例示的な動作２０００を示す。２００２では、ＵＥは、干渉状態が存在すると判定する。２００４では、ＵＥは、干渉状態が存在することを基地局に通知するメッセージを送信する。
【０１００】
図２１は、本開示の一態様による、基地局によって実施することができる例示的な動作２１００を示す。２１０２では、基地局はＵＥからメッセージを受信する。２１０４では、基地局は、そのメッセージに基づいて、干渉状態が存在するとＵＥが判定したと判定する。
【０１０１】
当業者なら、情報および信号は、様々な異なる技術および技法のいずれかを使用して表すことができることを理解するであろう。たとえば、上記の説明全体を通して参照される可能性があるデータ、命令、コマンド、情報、信号、ビット、シンボル、チップは、電圧、電流、電磁波、磁場もしくは粒子、光場もしくは粒子、またはそれらの任意の組合せによって表すことができる。
【０１０２】
さらに、当業者なら、本明細書で本開示に関連して記載されている様々な例示的な論理ブロック、モジュール、回路、アルゴリズムステップは、電子ハードウェア、コンピュータソフトウェア、または両者の組合せとして実装することができることを理解するであろう。ハードウェアとソフトウェアのこの互換性をわかりやすく例示するために、様々な例示的な構成要素、ブロック、モジュール、回路、およびステップが、それらの機能で表して、一般的に上述されている。そのような機能がハードウェアとして、それともソフトウェアとして実装されるかは、システム全体に課される特定の応用および設計の制約によって決まる。当業者なら、記載の機能を、各特定の応用例のために様々な方法で実装することができるが、そのような実装の判断は、本開示の範囲からの逸脱を引き起こすものとして解釈すべきでない。
【０１０３】
本明細書で本開示に関連して述べられている様々な例示的な論理ブロック、モジュール、回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラム可能な論理デバイス、ディスクリートゲートもしくはトランジスタ論理、ディスクリートハードウェア構成要素、または本明細書に記載の機能を実施するように設計されたそれらの任意の組合せを用いて実装または実施することができる。汎用プロセッサはマイクロプロセッサとすることができるが、代替として、プロセッサは、任意の従来のプロセッサ、コントローラ、マイクロコントローラ、または状態機械とすることができる。また、プロセッサは、コンピューティングデバイスの組合せ、たとえば、ＤＳＰとマイクロプロセッサの組合せ、複数のマイクロプロセッサ、ＤＳＰコアに関連する１つまたは複数のマイクロプロセッサ、または任意の他のそのような構成として実装することができる。
【０１０４】
本明細書で本開示に関連して述べられている方法またはアルゴリズムのステップは、ハードウェア内、プロセッサによって実行されるソフトウェアモジュール内、またはその２つの組合せで直接実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し式ディスク、ＣＤ−ＲＯＭ、または当技術分野で知られている任意の他の形態の記憶媒体内に常駐することができる。例示的な記憶媒体がプロセッサに結合され、その結果、プロセッサは、その記憶媒体から情報を読み出し、その記憶媒体に情報を書き込むことができる。代替として、記憶媒体は、プロセッサと一体とすることができる。プロセッサおよび記憶媒体は、ＡＳＩＣ内に常駐することができる。そのＡＳＩＣは、ユーザ端末内に常駐することができる。代替として、プロセッサおよび記憶媒体は、ユーザ端末内でディスクリート構成要素として常駐することができる。
【０１０５】
１つまたは複数の例示的な設計では、記載の機能は、ハードウェア、ソフトウェア、ファームウェア、またはそれらの任意の組合せで実装することができる。ソフトウェアで実装される場合、これらの機能は、１つまたは複数の命令またはコードとしてコンピュータ可読媒体上に記憶する、またはコンピュータ可読媒体を介して送信することができる。コンピュータ可読媒体は、ある場所から別の場所へコンピュータプログラムの転送を容易にする任意の媒体を含めて、コンピュータ記憶媒体と通信媒体を共に含む。記憶媒体は、汎用コンピュータまたは専用コンピュータによってアクセスすることができる任意の使用可能な媒体とすることができる。例として、または限定するものではなく、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、命令またはデータ構造体の形態で所望のプログラムコード手段を担持または記憶するために使用することができ、汎用コンピュータもしくは専用コンピュータまたは汎用プロセッサもしくは専用プロセッサによってアクセスすることができる任意の他の媒体を備えることができる。任意の接続もまた、当然ながらコンピュータ可読媒体と呼ばれる。ソフトウェアが、同軸ケーブル、光ファイバケーブル、ツイストペア、デジタル加入者線（ＤＳＬ）、または赤外線、無線、およびマイクロ波などワイヤレス技術を使用してウェブサイト、サーバ、または他の遠隔ソースから送信される場合には、同軸ケーブル、光ファイバケーブル、ツイストペア、ＤＳＬ、または赤外線、無線、およびマイクロ波などワイヤレス技術は、媒体の定義に含まれる。本明細書では、ディスク（disk and disc）は、コンパクトディスク（ＣＤ）、レーザディスク、光学ディスク、デジタル多用途ディスク（ＤＶＤ）、フロッピディスク、およびブルーレイディスクを含み、ディスク（disk）は、通常データを磁気的に再生し、一方、ディスク（disc）は、データをレーザで光学的に再生する。上記の組合せもまた、コンピュータ可読媒体の範囲内に含まれるべきである。
【０１０６】
本開示の先の説明は、当業者が本開示を実施し使用することができるように提供されている。本開示に対する様々な修正形態が、当業者には容易に明らかとなり、本明細書で定義されている一般的な原理は、本開示の精神または範囲から逸脱することなしに、他の変形形態に適用することができる。したがって、本開示は、本明細書に記載の例および設計に限定されないものとし、本明細書で開示されている原理および新規な特徴に適合する最も広い範囲が与えられるものとする。
以下に本願発明の当初の特許請求の範囲に記載された発明を付記する。
［Ｃ１］
ワイヤレス通信のための方法であって、
基地局からユーザ機器（ＵＥ）によって、異なるランダムアクセス（ＲＡ）手順を実施するためのコンフィギュレーションパラメータを受信すること、および
前記ＲＡ手順の１つに従って１つまたは複数のＲＡメッセージを送信することによって前記基地局に前記ＵＥの属性について通知することであって、前記属性が、使用される前記ＲＡ手順によって示されること
を備える方法。
［Ｃ２］
前記属性が、前記ＵＥによる干渉状態の検出を備える、Ｃ１に記載の方法。
［Ｃ３］
干渉状態が検出されない場合、第１のＲＡ手順が使用され、
干渉状態が検出された場合、第２のＲＡ手順が使用される、Ｃ２に記載の方法。
［Ｃ４］
基準信号受信電力（ＲＳＲＰ）測定値または基準信号受信品質（ＲＳＲＱ）測定値の少なくとも１つが閾値を超えた場合、前記干渉状態が存在すると判定することをさらに備える、Ｃ２に記載の方法。
［Ｃ５］
前記閾値を前記基地局から受信することをさらに備える、Ｃ４に記載の方法。
［Ｃ６］
前記閾値が、システム情報ブロック（ＳＩＢ）内で前記基地局からブロードキャストされる、Ｃ５に記載の方法。
［Ｃ７］
サービング基地局と１つまたは複数の非サービング基地局との間でリソースの協調パーティショニングを受けるサブフレームを示すリソースパーティショニング情報（ＲＰＩ）を決定すること、および
前記第２のＲＡ手順を実施するとき前記ＲＰＩを使用すること
をさらに備える、Ｃ２に記載の方法。
［Ｃ８］
前記第２のＲＡ手順を実施するとき前記ＲＰＩを使用することが、協調パーティショニングを受けるサブフレーム上でサービングノードＢにメッセージを送信することを備える、Ｃ７に記載の方法。
［Ｃ９］
前記第２のＲＡ手順を実施するとき前記ＲＰＩを使用することが、協調パーティショニングを受ける第２のサブフレーム内で少なくとも１つの第２の後続のメッセージが確実に送信されるように、協調パーティショニングを受けない第１のサブフレーム内で第１のメッセージを送信することを備える、Ｃ８に記載の方法。
［Ｃ１０］
前記第２の後続のメッセージが前記サービングノードＢから送信される、Ｃ９に記載の方法。
［Ｃ１１］
第１のＲＡメッセージを前記基地局に送信すること、および
前記第１のＲＡメッセージに対して確認応答が受信されなかった場合でさえ、前記基地局から受信された第２のＲＡメッセージを復号しようと試みること
をさらに備える、Ｃ７に記載の方法。
［Ｃ１２］
前記第２のＲＡメッセージの復号に成功した場合、ＲＡ手順を続行すること、および
前記第２のＲＡメッセージの復号に成功しなかった場合、ＲＡ手順を再スタートすること
をさらに備える、Ｃ１１に記載の方法。
［Ｃ１３］
前記干渉状態が存在すると判定すること、および
ＲＡ手順中に、前記干渉状態が存在することを基地局に通知するメッセージを送信すること
をさらに備える、Ｃ２に記載の方法。
［Ｃ１４］
前記メッセージが、前記干渉状態が存在することを示すビットを備える、Ｃ８に記載の方法。
［Ｃ１５］
遅延ビットが設定された状態でメッセージを前記基地局から受信すること、および
前記遅延ビットが設定されていなかった場合より後の時間に、前記干渉状態が存在することを基地局に通知する前記メッセージを送ること
をさらに備える、Ｃ８に記載の方法。
［Ｃ１６］
前記属性が、前記ＵＥの能力を備え、
前記ＵＥが、使用されている前記ＲＡ手順によって前記基地局に前記能力について通知する、Ｃ１に記載の方法。
［Ｃ１７］
遅延ビットが設定された状態でメッセージを前記基地局から受信すること、および
前記ＲＡ手順中に、前記遅延ビットが設定されていなかった場合より後の時間に少なくとも１つのメッセージを送ること
をさらに備える、Ｃ１６に記載の方法。
［Ｃ１８］
前記ＲＡ手順が、
前記ＵＥがある標準の第１のバージョンに準拠することが可能であることを示すための第１のＲＡ手順と、
前記ＵＥがある標準の第１のバージョンより後の前記標準の第２のバージョンに従って前記第１のバージョンに準拠することが可能であることを示すための第２のＲＡ手順と
を備える、Ｃ１６に記載の方法。
［Ｃ１９］
前記ＵＥが、前記属性を前記基地局に対して示すために少なくとも１つのプリアンブル第１および第２のプリアンブルを送信する、Ｃ１に記載の方法。
［Ｃ２０］
前記ＵＥが、前記属性を示すために第１および第２のプリアンブルを送信する、Ｃ１９に記載の方法。
［Ｃ２１］
前記ＵＥが実施することが可能である１つまたは複数のＲＡ手順を前記基地局に対して示すために第１および第２のプリアンブルを前記ＵＥが送信する、Ｃ１９に記載の方法。
［Ｃ２２］
前記第１および第２のプリアンブルが、同じフレーム内で、しかし異なる周波数リソースを使用して送信される、Ｃ２１に記載の方法。
［Ｃ２３］
前記第１および第２のプリアンブルが、異なるプリアンブルＩＤと共に送信される、Ｃ２１に記載の方法。
［Ｃ２４］
前記第１および第２のプリアンブルが、異なるサブフレーム内で送信される、Ｃ２１に記載の方法。
［Ｃ２５］
ワイヤレス通信のための方法であって、
異なるランダムアクセス（ＲＡ）手順を実施するためのパラメータでユーザ機器（ＵＥ）を構成すること、
前記ＲＡ手順の１つに従って送られた１つまたは複数のＲＡメッセージを受信すること、および
使用される前記ＲＡ手順に基づいて前記ＵＥの属性を識別すること
を備える方法。
［Ｃ２６］
前記属性が、前記ＵＥによる干渉状態の検出を備える、Ｃ２５に記載の方法。
［Ｃ２７］
前記ＵＥが第１のＲＡ手順を使用している場合、前記ＵＥが前記干渉状態を検出していないと判定すること、および
前記ＵＥが第２のＲＡ手順を使用している場合、前記ＵＥが前記干渉状態を検出していると判定すること
を備える、Ｃ２６に記載の方法。
［Ｃ２８］
前記第２のＲＡ手順を実施する際に使用するためにリソースパーティショニング情報（ＲＰＩ）を送信することをさらに含み、前記ＲＰＩが、サービング基地局と１つまたは複数の非サービング基地局との間でリソースの協調パーティショニングを受けるサブフレームを示す、Ｃ２７に記載の方法。
［Ｃ２９］
前記受信することが、
基準信号受信電力（ＲＳＲＰ）測定値または基準信号受信品質（ＲＳＲＱ）測定値の少なくとも１つを備えるメッセージを受信することを備える、Ｃ２７に記載の方法。
［Ｃ３０］
閾値を前記基地局から送信することをさらに含み、前記受信されたＲＡメッセージの少なくとも１つが、基準信号受信電力（ＲＳＲＰ）測定値または基準信号受信品質（ＲＳＲＱ）測定値の少なくとも１つが前記閾値を超えたことを示す、Ｃ２９に記載の方法。
［Ｃ３１］
前記閾値を送信することが、前記閾値をシステム情報ブロック（ＳＩＢ）内でブロードキャストすることを備える、Ｃ３０に記載の方法。
［Ｃ３２］
前記ＲＡメッセージの少なくとも１つが、前記干渉状態が存在することを示すビットを備える、Ｃ２６に記載の方法。
［Ｃ３３］
遅延ビットが設定された状態でメッセージを前記基地局から送信すること、および前記遅延ビットが設定されていなかった場合より後の時間に、前記干渉状態が存在することを基地局に通知するメッセージを受信すること
をさらに備える、Ｃ２６に記載の方法。
［Ｃ３４］
前記属性が、前記ＵＥの能力を備え、
前記ＵＥが、使用されている前記ＲＡ手順によって前記基地局に前記能力について通知する、Ｃ２５に記載の方法。
［Ｃ３５］
前記ＲＡ手順が、
前記ＵＥがある標準の第１のバージョンに準拠することが可能であることを示すための第１のＲＡ手順と、
前記ＵＥがある標準の第１のバージョンより後の前記標準の第２のバージョンに従って前記第１のバージョンに準拠することが可能であることを示すための第２のＲＡ手順と
を備える、Ｃ３４に記載の方法。
［Ｃ３６］
前記受信することが、前記ＵＥから送信された少なくとも１つのプリアンブルを受信することを備え、
前記識別することが、前記少なくとも１つのプリアンブルに基づいて前記少なくとも１つの属性を識別することを備える、Ｃ２５に記載の方法。
［Ｃ３７］
前記少なくとも１つのプリアンブルが、少なくとも第１および第２のプリアンブルを備える、Ｃ３６に記載の方法。
［Ｃ３８］
前記第１および第２のプリアンブルが、同じフレーム内で、しかし異なる周波数リソースを使用して受信される、Ｃ３７に記載の方法。
［Ｃ３９］
前記第１および第２のプリアンブルが、異なるプリアンブルＩＤと共に受信される、Ｃ３７に記載の方法。
［Ｃ４０］
前記第１および第２のプリアンブルが、異なるサブフレーム内で受信される、Ｃ３７に記載の方法。
［Ｃ４１］
前記受信することが、
前記第１および第２のプリアンブルが閾値量未満で異なるタイミングおよび電力で受信された場合、前記第１および第２のプリアンブルが同じＵＥから受信されたと結論することを備える、Ｃ３７に記載の方法。
［Ｃ４２］
前記属性が、前記少なくとも１つのＵＥがサービングノードＢと１つまたは複数の非サービングノードＢとの間でリソースの協調パーティショニングを受けるサブフレームに気付くことが可能であるか否かを備える、Ｃ３４に記載の方法。
［Ｃ４３］
前記判定することが、
前記少なくとも１つの送信がランダムアクセスチャネル上で送信される定義されたシーケンスを備える場合、前記少なくとも１つのＵＥがリソースの協調パーティショニングを受けるサブフレームに気付くことが可能であると判定することを備える、Ｃ４２に記載の方法。
［Ｃ４４］
前記判定することが、
前記少なくとも１つの送信が事前定義の周波数リソースを使用して送られる場合、前記少なくとも１つのＵＥがリソースの協調パーティショニングを受けるサブフレームに気付くことが可能であると判定することを備える、Ｃ４２に記載の方法。
［Ｃ４５］
前記判定することが、
前記少なくとも１つの送信が事前定義の時間位置を使用して送られる場合、前記少なくとも１つのＵＥがリソースの協調パーティショニングを受けるサブフレームに気付くことが可能であると判定することを備える、Ｃ４２に記載の方法。
［Ｃ４６］
ワイヤレス通信のための方法であって、
サービングノードＢと１つまたは複数の非サービングノードＢとの間でリソースの協調パーティショニングを受ける１つまたは複数のサブフレームを識別すること、および
前記１つまたは複数のサブフレームを使用してランダムアクセス（ＲＡ）手順を実施するためにユーザ機器（ＵＥ）を構成すること
を備える方法。
［Ｃ４７］
前記ＵＥが、協調パーティショニングを受ける前記１つまたは複数のサブフレームに気付いていない、Ｃ４６に記載の方法。
［Ｃ４８］
前記ＵＥが前記サービングノードＢに対するランダムアクセスを実施するために追加のサブフレームを受信すること
をさらに備える、Ｃ４６に記載の方法。
［Ｃ４９］
前記ＵＥから、前記ＲＡ手順の一部として、協調パーティショニングを受ける１つまたは複数のサブフレーム内で送信される１つまたは複数のランダムアクセス手順メッセージを受信することをさらに備える、Ｃ４６に記載の方法。
［Ｃ５０］
前記ＵＥに、前記ＲＡ手順の一部として、協調パーティショニングを受ける１つまたは複数のサブフレーム内で１つまたは複数のランダムアクセス手順メッセージを送信することをさらに備える、Ｃ４６に記載の方法。
［Ｃ５１］
ワイヤレス通信のための装置であって、
基地局からユーザ機器（ＵＥ）によって、異なるランダムアクセス（ＲＡ）手順を実施するためのコンフィギュレーションパラメータを受信するための手段と、
前記ＲＡ手順の１つに従って１つまたは複数のＲＡメッセージを送信することによって前記基地局に前記ＵＥの属性について通知するための手段であって、前記属性が、使用される前記ＲＡ手順によって示される、手段と
を備える装置。
［Ｃ５２］
前記属性が、前記ＵＥによる干渉状態の検出を備える、Ｃ５１に記載の装置。
［Ｃ５３］
干渉状態が検出されない場合、第１のＲＡ手順が使用され、
干渉状態が検出された場合、第２のＲＡ手順が使用される、Ｃ５２に記載の装置。
［Ｃ５４］
基準信号受信電力（ＲＳＲＰ）測定値または基準信号受信品質（ＲＳＲＱ）測定値の少なくとも１つが閾値を超えた場合、前記干渉状態が存在すると判定するための手段をさらに備える、Ｃ５２に記載の装置。
［Ｃ５５］
前記閾値を前記基地局から受信するための手段をさらに備える、Ｃ５４に記載の装置。
［Ｃ５６］
前記閾値が、システム情報ブロック（ＳＩＢ）内で前記基地局からブロードキャストされる、Ｃ５５に記載の装置。
［Ｃ５７］
前記属性が、前記ＵＥの能力を備え、
前記ＵＥが、使用されている前記ＲＡ手順によって前記基地局に前記能力について通知する、Ｃ５１に記載の装置。
［Ｃ５８］
遅延ビットが設定された状態でメッセージを前記基地局から受信するための手段と、
前記ＲＡ手順中に、前記遅延ビットが設定されていなかった場合より後の時間に少なくとも１つのメッセージを送るための手段と
をさらに備える、Ｃ５７に記載の装置。
［Ｃ５９］
前記ＲＡ手順が、
前記ＵＥがある標準の第１のバージョンに準拠することが可能であることを示すための第１のＲＡ手順と、
前記ＵＥがある標準の第１のバージョンより後の前記標準の第２のバージョンに従って前記第１のバージョンに準拠することが可能であることを示すための第２のＲＡ手順と
を備える、Ｃ５７に記載の装置。
［Ｃ６０］
前記ＵＥが、前記属性を前記基地局に対して示すために少なくとも１つのプリアンブル第１および第２のプリアンブルを送信する、Ｃ５１に記載の装置。
［Ｃ６１］
前記ＵＥが、前記属性を示すために第１および第２のプリアンブルを送信する、Ｃ６０に記載の装置。
［Ｃ６２］
ワイヤレス通信のための装置であって、
異なるランダムアクセス（ＲＡ）手順を実施するためのパラメータでユーザ機器（ＵＥ）を構成するための手段と、
前記ＲＡ手順の１つに従って送られた１つまたは複数のＲＡメッセージを受信するための手段と、
使用される前記ＲＡ手順に基づいて前記ＵＥの属性を識別するための手段と
を備える装置。
［Ｃ６３］
前記属性が、前記ＵＥによる干渉状態の検出を備える、Ｃ６２に記載の装置。
［Ｃ６４］
前記ＵＥが第１のＲＡ手順を使用している場合、前記ＵＥが前記干渉状態を検出していないと判定するための手段と、
前記ＵＥが第２のＲＡ手順を使用している場合、前記ＵＥが前記干渉状態を検出していると判定するための手段と
を備える、Ｃ６３に記載の装置。
［Ｃ６５］
前記属性が、前記ＵＥの能力を備え、
前記ＵＥが、使用されている前記ＲＡ手順によって前記基地局に前記能力について通知する、Ｃ６２に記載の装置。
［Ｃ６６］
前記ＲＡ手順が、
前記ＵＥがある標準の第１のバージョンに準拠することが可能であることを示すための第１のＲＡ手順と、
前記ＵＥがある標準の第１のバージョンより後の前記標準の第２のバージョンに従って前記第１のバージョンに準拠することが可能であることを示すための第２のＲＡ手順と
を備える、Ｃ６５に記載の装置。
［Ｃ６７］
前記受信するための手段が、前記ＵＥから送信された少なくとも１つのプリアンブルを受信するための手段を備え、
前記識別するための手段が、前記少なくとも１つのプリアンブルに基づいて前記少なくとも１つの属性を識別するための手段を備える、Ｃ６２に記載の装置。
［Ｃ６８］
前記少なくとも１つのプリアンブルが、少なくとも第１および第２のプリアンブルを備える、Ｃ６７に記載の装置。
［Ｃ６９］
ワイヤレス通信のための装置であって、
サービングノードＢと１つまたは複数の非サービングノードＢとの間でリソースの協調パーティショニングを受ける１つまたは複数のサブフレームを識別するための手段と、前記１つまたは複数のサブフレームを使用してランダムアクセス（ＲＡ）手順を実施するためにユーザ機器（ＵＥ）を構成するための手段と
を備える装置。
［Ｃ７０］
前記ＵＥが、協調パーティショニングを受ける前記１つまたは複数のサブフレームに気付いていない、Ｃ６９に記載の装置。
［Ｃ７１］
前記ＵＥが前記サービングノードＢに対するランダムアクセスを実施するために追加のサブフレームを受信するための手段をさらに備える、Ｃ６９に記載の装置。
［Ｃ７２］
前記ＵＥから、前記ＲＡ手順の一部として、協調パーティショニングを受ける１つまたは複数のサブフレーム内で送信される１つまたは複数のランダムアクセス手順メッセージを受信するための手段をさらに備える、Ｃ６９に記載の装置。
［Ｃ７３］
前記ＵＥに、前記ＲＡ手順の一部として、協調パーティショニングを受ける１つまたは複数のサブフレーム内で１つまたは複数のランダムアクセス手順メッセージを送信するための手段をさらに備える、Ｃ６９に記載の装置。
［Ｃ７４］
ワイヤレス通信のための装置であって、
基地局からユーザ機器（ＵＥ）によって、異なるランダムアクセス（ＲＡ）手順を実施するためのコンフィギュレーションパラメータを受信し、前記ＲＡ手順の１つに従って１つまたは複数のＲＡメッセージを送信することによって前記基地局に前記ＵＥの属性について通知するように構成された少なくとも１つのプロセッサであって、前記属性が、使用される前記ＲＡ手順によって示される、プロセッサと、
前記少なくとも１つのプロセッサに結合されたメモリと
を備える装置。
［Ｃ７５］
ワイヤレス通信のための装置であって、
異なるランダムアクセス（ＲＡ）手順を実施するためのパラメータでユーザ機器（ＵＥ）を構成し、前記ＲＡ手順の１つに従って送られた１つまたは複数のＲＡメッセージを受信し、使用される前記ＲＡ手順に基づいて前記ＵＥの属性を識別するように構成された少なくとも１つのプロセッサと、
前記少なくとも１つのプロセッサに結合されたメモリと
を備える装置。
［Ｃ７６］
ワイヤレス通信のための装置であって、サービングノードＢと１つまたは複数の非サービングノードＢとの間でリソースの協調パーティショニングを受ける１つまたは複数のサブフレームを識別し、前記１つまたは複数のサブフレームを使用してランダムアクセス（ＲＡ）手順を実施するためにユーザ機器（ＵＥ）を構成するように構成された少なくとも１つのプロセッサと、
前記少なくとも１つのプロセッサに結合されたメモリと
を備える装置。
［Ｃ７７］
命令が記憶されているコンピュータ可読媒体を備えるコンピュータプログラム製品であって、前記命令が、
基地局からユーザ機器（ＵＥ）によって、異なるランダムアクセス（ＲＡ）手順を実施するためのコンフィギュレーションパラメータを受信し、
前記ＲＡ手順の１つに従って１つまたは複数のＲＡメッセージを送信することによって前記基地局に前記ＵＥの属性について通知するように、１つまたは複数のプロセッサによって実行可能であり、前記属性が、使用される前記ＲＡ手順によって示される、コンピュータプログラム製品。
［Ｃ７８］
命令が記憶されているコンピュータ可読媒体を備えるコンピュータプログラム製品であって、前記命令が、
異なるランダムアクセス（ＲＡ）手順を実施するためのパラメータでユーザ機器（ＵＥ）を構成し、
前記ＲＡ手順の１つに従って送られた１つまたは複数のＲＡメッセージを受信し、
使用される前記ＲＡ手順に基づいて前記ＵＥの属性を識別するように、１つまたは複数のプロセッサによって実行可能である、コンピュータプログラム製品。
［Ｃ７９］
命令が記憶されているコンピュータ可読媒体を備えるコンピュータプログラム製品であって、前記命令が、
サービングノードＢと１つまたは複数の非サービングノードＢとの間でリソースの協調パーティショニングを受ける１つまたは複数のサブフレームを識別し、
前記１つまたは複数のサブフレームを使用してランダムアクセス（ＲＡ）手順を実施するためにユーザ機器（ＵＥ）を構成するように、１つまたは複数のプロセッサによって実行可能である、コンピュータプログラム製品。
【図１】
0005868945.tif 000003
【図２】
0005868945.tif 000004
【図３】
0005868945.tif 000005
【図４】
0005868945.tif 000006
【図５】
0005868945.tif 000007
【図６】
0005868945.tif 000008
【図７】
0005868945.tif 000009
【図８】
0005868945.tif 000010
【図９】
0005868945.tif 000011
【図１０】
0005868945.tif 000012
【図１１】
0005868945.tif 000013
【図１２】
0005868945.tif 000014
【図１３】
0005868945.tif 000015
【図１４】
0005868945.tif 000016
【図１５】
0005868945.tif 000017
【図１６】
0005868945.tif 000018
【図１７】
0005868945.tif 000019
【図１８】
0005868945.tif 000020
【図１９】
0005868945.tif 000021
【図２０】
0005868945.tif 000022
【図２１】
0005868945.tif 000023